(57)【特許請求の範囲】
【請求項１】
冷媒が循環する圧縮機、凝縮器、膨張器及び蒸発器を持つ除湿機であって、
空気入口及び空気出口が形成されたケーシングと、
前記ケーシングの内に設けられた第１ファン及び第２ファンと、
前記第１ファンが駆動される場合、前記空気入口を通じて吸入される空気を、前記蒸発器、前記凝縮器、前記第１ファン及び前記第２ファンを順次通過するように案内し、除湿された空気が前記空気出口を通じて吐き出すように、前記空気入口から前記空気出口に伸びる第１通路と、
前記第２ファンが駆動される場合、前記空気入口を通じて吸入される空気を、前記蒸発器、前記凝縮器及び前記第１ファンをバイパスさせ、前記第２ファンを通過するように案内して前記蒸発器及び前記凝縮器を通過しない非除湿空気のみを前記空気出口を通じて吐き出すように、前記空気入口から前記空気出口に伸びる第２通路を含む、除湿機。
【請求項２】
前記第２通路は前記第１ファンと前記第２ファンとの間の前記第１通路と結合され、前記第１ファンは前記第１通路内の前記第２ファンと前記凝縮器との間に位置し、前記第２ファンは前記第１通路内の前記空気出口と前記第１ファンとの間に位置する、請求項１に記載の除湿機。
【請求項３】
前記ケーシングの内部に形成され、前記第２通路内に吸入される空気が前記蒸発器及び前記凝縮器を通過せずに前記第２ファン側に流動するようにする非除湿空気入口をさらに含む、請求項１に記載の除湿機。
【請求項４】
前記第１ファンの出口部と前記ケーシングとの間に配置され、空気を前記空気出口に案内して吐き出すエアガイドをさらに含む、請求項１に記載の除湿機。
【請求項５】
前記空気入口の近くに設けられ、前記第１通路と前記空気入口に近い前記第２通路を分離する流路ガイドをさらに含む、請求項１に記載の除湿機。
【請求項６】
前記第１ファンは遠心ファンまたは混合流動ファンであり、前記第２ファンは軸流ファンである、請求項１に記載の除湿機。
【請求項７】
前記空気入口は、第１通路用第１空気入口、及び第２通路用第２空気入口を含む、請求項１に記載の除湿機。
【請求項８】
前記第２ファンは前記第１ファンの回転軸に平行な回転軸を有し、前記空気出口は前記ケーシングの前面または背面に設けられる、請求項１に記載の除湿機。
【請求項９】
冷媒が循環する圧縮機、凝縮器、膨張器及び蒸発器を持つ除湿機であって、
第１空気入口、第２空気入口、第１空気出口及び第２空気出口が形成されたケーシングと、
前記ケーシング内に設けられた第１ファン及び第２ファンと、
前記第１空気入口を通じて吸入される空気を前記蒸発器、前記凝縮器、前記第１ファン及び前記第２ファンを順次通過するように案内し、前記第１空気出口を通じて吐き出す第１通路と、
前記第２空気入口を通じて吸入される空気を前記第２ファンを通じて案内し、前記蒸発器、前記凝縮器及び前記第１ファンをバイパスして前記蒸発器及び前記凝縮器を通過しない非除湿空気のみを前記第１空気出口を通じて吐き出す第２通路と、
前記第１空気入口を通じて吸入される空気を前記蒸発器、前記凝縮器及び前記第１ファンを順次通過するように案内し、前記第２ファンをバイパスし、前記第２空気出口を通じて吐き出す第３通路を含み、
前記第１ファンは前記ケーシングの第１室内に設けられ、前記第２ファンは前記ケーシングの第２室内に設けられ、前記第１通路内の第１室と第２室との間には開口部が設けられ、
前記第２空気出口を閉めながら前記開口部を開け、前記第２空気出口を開けながら前記開口部を閉める流路制御器をさらに含む、除湿機。
【請求項１０】
前記第３通路は前記第１ファンと前記第２ファンとの間の前記第１通路から分離され、前記第２通路は前記第１ファンと前記第２ファンとの間の前記第１通路と結合される、請求項９に記載の除湿機。
【請求項１１】
前記第１ファンは前記第１通路内の前記第２ファンと前記凝縮器との間で、かつ前記第３通路内の前記第２空気出口と前記凝縮器との間に位置し、前記第２ファンは前記第１通路内の前記第１空気出口と前記第１ファンとの間で、かつ前記第２通路内の前記第１空気出口と前記第２空気入口との間に位置する、請求項９に記載の除湿機。
【請求項１２】
空気流動を第２空気出口側に案内する前記第３通路内の第１空気出口と前記第１ファンとの間に位置するエアガイドをさらに含む、請求項９に記載の除湿機。
【請求項１３】
前記第２ファンは前記第１ファンの回転軸に平行な回転軸を有し、前記第１空気出口は前記ケーシングの前面または背面に設けられ、前記第２空気出口は前記ケーシングの一面に設けられ、空気を前記第１空気出口とは異なる方向に吐き出す、請求項９に記載の除湿機。
【請求項１４】
前記第１空気出口は前記第１ファンのファンハウジングと向かい合う、請求項９に記載の除湿機。
【請求項１５】
冷媒が循環する圧縮機、凝縮器、膨張器及び蒸発器を持つ除湿機であって、
第１空気入口、第２空気入口、第１空気出口及び第２空気出口が形成されたケーシングと、
一つの共用モーターによって回転する第１インペラー及び第２インペラーを持つファンと、
前記第１空気入口を通じて吸入される空気を前記蒸発器、前記凝縮器、前記第１インペラー及び前記第２インペラーを順次通過するように案内し、前記第１空気出口を通じて吐き出す第１通路と、
前記第２空気入口を通じて吸入される空気を前記第１インペラーを通じて案内し、前記蒸発器、前記凝縮器及び前記第１インペラーをバイパスして前記蒸発器及び前記凝縮器を通過しない非除湿空気のみを前記第１空気出口を通じて吐き出す第２通路と、
前記第１空気入口を通じて吸入される空気を前記蒸発器、前記凝縮器及び前記第１インペラーを順次通過するように案内し、前記第２インペラーをバイパスして前記第２空気出口を通じて吐き出す第３通路を含み、
前記第１インペラーは前記ケーシングの第１室内に設けられ、前記第２インペラーは前記ケーシングの第２室内に設けられ、前記第１通路内の第１室と第２室との間に開口部が設けられ、
前記第２空気出口を閉めながら前記開口部を開け、前記第２空気出口を開けながら前記開口部を閉める流路制御器をさらに含む、除湿機。
【請求項１６】
前記第１インペラーは前記第１通路内の前記第２インペラーと前記凝縮器との間で、かつ前記第３通路内の前記第２空気出口と前記凝縮器との間に位置し、前記第２インペラーは前記第１通路内の前記第１空気出口と前記第１インペラーとの間で、かつ前記第２通路内の前記第１空気出口と前記第２空気入口との間に位置する、請求項１５に記載の除湿機。
【発明の詳細な説明】
【技術分野】
【０００１】
本発明は除湿機に関する。より詳しくは、本発明は複数のファンが取り付けられた除湿機に関する。
【背景技術】
【０００２】
一般に、除湿機は、冷媒が流れる蒸発器及び凝縮器を持つ熱交換器に室内空気を通過させることで室内空気の湿度を低め、その除湿された空気を再び室内に吐き出すことにより、湿度の高い室内空気を除湿する。
【０００３】
室内空気の除湿効率を向上させるために、除湿機を別のファンと一緒に使用する場合がある。除湿機をファンと一緒に使用する場合、ファンは除湿機から吐き出された空気の循環を増大させて除湿効率を高める。しかし、除湿機と一緒にファンを使用する場合、除湿機が設置された室内空間の活用度が低くなり易く、除湿機とファンを別に取り扱わなければならない不便さがある。
【０００４】
また、除湿機から室内に吐き出される空気は凝縮器で昇温した温度を有する。高温の空気が除湿機から吐き出される場合、使用者は不便さを感じ易い。
【発明の概要】
【発明が解決しようとする課題】
【０００５】
したがって、本発明はこのような問題点を解決するためになされたもので、本発明の目的は、室内空間の活用度及び取扱いの便利さを向上させることができる除湿機を提供することである。
【０００６】
本発明の他の目的は、空気出口から吐き出される空気の温度を低めて使用者の不便さを解消することができる除湿機を提供することである。
【課題を解決するための手段】
【０００７】
本発明は、冷媒が循環する圧縮機、凝縮器、膨張器及び蒸発器を持つ除湿機であって、空気入口及び空気出口が形成されたケーシングと、空気入口を通じて空気を吸入し、蒸発器、凝縮器、第１ファン及び第２ファンを順次通過した後、空気出口を通じて吐き出す第１通路と、及び空気入口を通じて空気を吸入し、第２ファンを通過した後、空気出口を通じて吐き出す第２通路を含んでなる除湿機を提供する。
【０００８】
第２通路は第１ファンと第２ファンとの間の第１通路と結合されることができ、第１ファンは第１通路の空気流動方向において凝縮器と第２ファンとの間に位置することができ、第２ファンは第１通路の空気流動方向において第１ファンと空気出口との間に位置することができる。
【０００９】
除湿機は、第２通路内に吸入される空気を蒸発器及び凝縮器を通過せずに第２ファン内に吸入されるようにするために形成された非除湿空気入口をさらに含むことができる。
【００１０】
除湿機は、第１ファンの出口部とケーシングとの間に配置され、空気出口に吐き出される空気を案内するエアガイドをさらに含むことができる。
【００１１】
除湿機は、第１通路の第１ファン吸入流路と第２通路の第２ファン吸入流路を区画する流路ガイドをさらに含むことができる。
【００１２】
第１ファンは遠心ファンまたは混合流動ファン（mixed flow fan）であり得、第２ファンは軸流ファンを含むことができる。
【００１３】
空気入口は、空気を第１通路内に吸入する第１空気入口及び空気を第２通路内に吸入する第２空気入口を含むことができる。
【００１４】
第２ファンは第１ファンの回転中心軸に平行な回転軸を持つことができ、空気出口はケーシング内で前後方向に開いていることができる。
【００１５】
本発明の他の態様において、冷媒が循環する圧縮機、凝縮器、膨張器及び蒸発器を持つ除湿機は、第１及び第２空気入口及び第１及び第２空気出口が形成されたケーシングと、第１空気入口を通じて空気を吸入し、蒸発器、凝縮器、第１ファン及び第２ファンを順次通過した後、第１空気出口を通じて空気を吐き出す第１通路と、第２空気入口を通じて空気を吸入し、第２ファンを通過した後、第１空気出口を通じて吐き出す第２通路と、第１空気入口を通じて空気を吸入し、蒸発器、凝縮器及び第１ファンを順次通過した後、第２空気出口を通じて吐き出す第３通路を含む。
【００１６】
第３通路は第１ファンと第２ファンとの間で第１通路から分離されることができ、第２通路は第１ファンと第２ファンとの間で第１通路と結合されることができる。
【００１７】
第１ファンは第１通路の空気流動方向において凝縮器と第２ファンとの間に、かつ第３通路の空気流動方向において凝縮器と第２空気出口との間に位置することができる。第２ファンは第１通路の空気流動方向において第１ファンと第１空気出口との間に、かつ第２通路の空気流動方向において第２空気入口と第１空気出口との間に位置することができる。
【００１８】
除湿機は、第１ファンと第２空気出口との間に位置する第２空気出口エアガイドをさらに含むことができる。
【００１９】
除湿機は、第１空気入口内に吸入される空気の流動方向において第１ファンと第２ファンとの間に位置する連通口をさらに含むことができる。
【００２０】
除湿機は、第２空気入口を閉めながら連通口を開け、第２空気出口を開けながら連通口を閉める流路制御器をさらに含むことができる。
【００２１】
第２ファンは第１ファンの回転中心軸に平行な回転中心軸を持つことができ、第１空気出口はケーシング内で前後方向に開いていることができ、第２空気出口はケーシング内で第１空気出口とは異なる方向に空気を吐き出すように形成できる。
【００２２】
第１空気出口は第１ファンのファンハウジングと向かい合うことができる。
【００２３】
本発明の他の態様において、冷媒が循環する圧縮機、凝縮器、膨張器及び蒸発器を持つ除湿機は、第１及び第２空気入口及び第１及び第２空気出口が形成されたケーシングと、一つの共用モーターによって回転する第１インペラー及び第２インペラーを持つファンと、第１空気入口を通じて空気を吸入し、蒸発器、凝縮器、第１インペラー及び第２インペラーを順次通過した後、第１空気出口を通じて吐き出す第１通路と、第２空気入口を通じて空気を吸入し、第２インペラーを通過した後、第１空気出口を通じて吐き出す第２通路と、第１空気入口を通じて空気を吸入し、蒸発器、凝縮器及び第１インペラーを順次通過した後、第２空気出口を通じて吐き出す第３通路を含む。
【００２４】
第１インペラーは第１通路の空気流動方向において凝縮器と第２インペラーとの間で、かつ第３通路の空気流動方向において凝縮器と第２空気出口との間に位置することができる。第２インペラーは第１通路の空気流動方向において第１インペラーと第１空気出口との間で、かつ第２通路の空気流動方向において第２空気入口と第１空気出口との間に位置することができる。
【００２５】
除湿機は、第１空気入口内に吸入される空気の流動方向において第１インペラーと第２インペラーとの間に位置する連通口をさらに含むことができる。
【００２６】
除湿機は第２空気出口を閉めながら連通口を開け、第２空気出口を開けながら連通口を閉める流路制御器をさらに含むことができる。
【発明の効果】
【００２７】
本発明の除湿機は、凝縮器を通過する空気流量を増大して凝縮温度を低めるだけでなく、凝縮器を通過する空気と第２通路内に吸入される空気が混合された混合気を吐き出して空気出口に吐き出される空気の温度を低め、使用者の不便さを解消する利点を有する。
【００２８】
本発明の除湿機は、凝縮器を通じて高流量の空気を通過させることで、第１ファン及び第２ファンの中で第１ファンのみを装着した場合より凝縮温度を低め、凝縮温度の降下によって電力消費を減らすことができる利点を有する。
【００２９】
本発明の除湿機は、第１ファン及び第２ファンの中で第１ファンのみを装着した場合より高い流量を確保することができ、第１ファンのみを装着した場合に比べて高い流量によってファンとしてあるいは清浄ユニットとして機能することができる利点を有する。
【００３０】
本発明の除湿機は、一つの機器が除湿機とファンとして機能するようにする利点を有する。
【００３１】
本発明の除湿機は、除湿機が設置される室内空間の活用度を向上させる利点を有する。
【００３２】
本発明の除湿機は、単一ファンによって除湿空気及び非除湿空気を互いに違う方向に送風する利点を有する。
【図面の簡単な説明】
【００３３】
【図１】圧縮機、第１ファン及び第２ファンのいずれも駆動されるときの空気の流れを示す、本発明の第１実施例による除湿機の概略図である。
【図２】圧縮機及び第１ファンが停止し、第２ファンが駆動されるときの空気の流れを示す、本発明の第１実施例による除湿機の概略図である。
【図３】圧縮機が停止し、第１及び第２ファンが駆動されるときの空気の流れを示す、本発明の第１実施例による除湿機の概略図である。
【図４】圧縮機及び第１ファンが駆動され、第２ファンが停止するときの空気の流れを示す、本発明の第１実施例による除湿機の概略図である。
【図５】圧縮機及び第２ファンが駆動され、第１ファンが駆動されるときの空気の流れを示す、本発明の第１実施例による除湿機の概略図である。
【図６】圧縮機、第１ファン及び第２ファンのいずれも駆動されるときの空気の流れを示す、本発明の第２実施例による除湿機の概略図である。
【図７】圧縮機及び第１ファンが停止し、第２ファンが駆動されるときの空気の流れを示す、本発明の第２実施例による除湿機の概略図である。
【図８】圧縮機が停止し、第１ファン及び第２ファンが駆動されるときの空気の流れを示す、本発明の第２実施例による除湿機の概略図である。
【図９】圧縮機及び第１ファンが駆動され、第２ファンが停止するときの空気の流れを示す、本発明の第２実施例による除湿機の概略図である。
【図１０】圧縮機及び第２ファンが駆動され、第１ファンが駆動されるときの空気の流れを示す、本発明の第２実施例による除湿機の概略図である。
【図１１】圧縮機、第１ファン及び第２ファンのいずれも駆動され、流路制御器が第１空気出口吐出モードにあるときの空気の流れを示す、本発明の第３実施例による除湿機の概略図である。
【図１２】圧縮機及び第１ファンが駆動され、第２ファンが停止し、流路制御器が第１空気出口吐出モードにあるときの空気の流れを示す、本発明の第３実施例による除湿機の概略図である。
【図１３】圧縮機が停止し、第１ファン及び第２ファンが駆動され、流路制御器が第１空気出口吐出モードにあるときの空気の流れを示す、本発明の第３実施例による除湿機の概略図である。
【図１４】圧縮機及び第１ファンが駆動され、第２ファンが停止し、流路制御器が第１空気出口吐出モードにあるときの空気の流れを示す、本発明の第３実施例による除湿機の概略図である。
【図１５】圧縮機及び第２ファンが停止し、第１ファンが駆動され、流路制御器が第１空気出口吐出モードにあるときの空気の流れを示す、本発明の第３実施例による除湿機の概略図である。
【図１６】圧縮機、第１ファン及び第３ファンのいずれも駆動され、流路制御器が第２空気出口吐出モードにあるときの空気の流れを示す、本発明の第３実施例による除湿機の概略図である。
【図１７】圧縮機及び第１ファンが停止し、第２ファンが駆動され、流路制御器が第２空気出口吐出モードにあるときの空気の流れを示す、本発明の第３実施例による除湿機の概略図である。
【図１８】圧縮機が停止し、第１ファン及び第２ファンが駆動され、流路制御器が第２空気出口吐出モードにあるときの空気の流れを示す、本発明の第３実施例による除湿機の概略図である。
【図１９】圧縮機及び第１ファンが駆動され、第２ファンが停止し、流路制御器が第２空気出口吐出モードにあるときの空気の流れを示す、本発明の第３実施例による除湿機の概略図である。
【図２０】圧縮機及び第２ファンが停止し、第１ファンが駆動され、流路制御器が第２空気出口吐出モードにあるときの空気の流れを示す、本発明の第３実施例による除湿機の概略図である。
【図２１】圧縮機及びファンが駆動され、流路制御器が第１空気出口吐出モードにあるときの空気の流れを示す、本発明の第４実施例による除湿機の概略図である。
【図２２】圧縮機が停止し、ファンが駆動され、流路制御器が第１空気出口吐出モードにあるときの空気の流れを示す、本発明の第４実施例による除湿機の概略図である。
【図２３】圧縮機及びファンが駆動され、流路制御器が第２空気出口吐出モードにあるときの空気の流れを示す、本発明の第４実施例による除湿機の概略図である。
【図２４】圧縮機が停止し、ファンが駆動され、流路制御器が第２空気出口吐出モードにあるときの空気の流れを示す、本発明の第４実施例による除湿機の概略図である。
【図２５】圧縮機及びファンが駆動されるときの空気の流れを示す、本発明の第５実施例による除湿機の概略図である。
【図２６】圧縮機が停止し、ファンが駆動されるときの空気の流れを示す、本発明の第５実施例による除湿機の概略図である。
【図２７】圧縮機、第１ファン及び第２ファンのいずれも駆動されるときの空気の流れを示す、本発明の第６実施例による除湿機の概略図である。
【図２８】圧縮機及び第１ファンが停止し、第２ファンが駆動されるときの空気の流れを示す、本発明の第６実施例による除湿機の概略図である。
【図２９】圧縮機が停止し、第１ファン及び第２ファンが駆動されるときの空気の流れを示す、本発明の第６実施例による除湿機の概略図である。
【図３０】圧縮機及び第１ファンが駆動され、第２ファンが停止するときの空気の流れを示す、本発明の第６実施例による除湿機の概略図である。
【図３１】圧縮機及び第２ファンが停止し、第１ファンが駆動されるときの空気の流れを示す、本発明の第６実施例による除湿機の概略図である。
【発明を実施するための形態】
【００３４】
実施例を添付図面に基づいて説明する。以下、実施例の説明において、同一構造には同一名称及び符号を使用し、それによる付加の説明は開示しない。
【００３５】
図１は圧縮機、第１ファン及び第２ファンのいずれも駆動されるときの空気の流れを示す、本発明の第１実施例による除湿機の概略図、図２は圧縮機及び第１ファンが停止し、第２ファンが駆動されるときの空気の流れを示す、本発明の第１実施例による除湿機の概略図、図３は圧縮機が停止し、第１及び第２ファンが駆動されるときの空気の流れを示す、本発明の第１実施例による除湿機の概略図、図４は圧縮機及び第１ファンが駆動され、第２ファンが停止するときの空気の流れを示す、本発明の第１実施例による除湿機の概略図、図５は圧縮機及び第２ファンが停止し、第１ファンが駆動されるときの空気の流れを示す、本発明の第１実施例による除湿機の概略図である。
【００３６】
除湿機は、冷媒が循環する圧縮機２、凝縮器４、膨張器（図示せず）、及び蒸発器８を含む。圧縮機２は冷媒を圧縮することができる。圧縮機２は冷媒の流動方向において蒸発器８と凝縮器４との間に装着され、蒸発器８で蒸発した冷媒を圧縮して凝縮器４に流動させることができる。圧縮機２で圧縮された冷媒は、凝縮器４を通過しながら空気と熱交換して凝縮することができる。よって、凝縮器４で凝縮した冷媒が膨張器によって膨張され、膨張器で膨張した冷媒が空気と熱交換しながら蒸発器８を通過することによって蒸発できる。
【００３７】
除湿機は空気入口及び空気出口が形成されたケーシング１０を含むことができる。ケーシング１０は少なくとも一つの空気入口１２、１４が形成できる。ケーシング１０は少なくとも一つの空気出口１６が形成できる。除湿機は一つの空気入口１２及び一つの空気出口１６が形成できる。また、除湿機は複数の空気入口１２、１４及び一つの空気出口１６が形成されることもできる。除湿機は、一つの空気入口１２の一領域を通過した空気が蒸発器８に流動し、一つの空気入口１２の他の領域を通過した空気は蒸発器８に流動しないことができる。除湿機は、複数の空気入口１２、１４の一つを通過した空気が蒸発器８に流動し、空気入口１２、１４の他の空気入口を通過した空気は蒸発器８に流動しないことができる。空気出口１６は前後方向にまたは上下方向に開口するように形成できる。ケーシング１０は、ベース１７及び空気入口１２、１４が形成された吸入パネル１８、及び空気出口１６が形成された吐出パネルを含むことができる。ケーシング１０はトップパネル１９及びフロントパネル２０を含むことができる。トップパネル１９は吸入パネル１８及びフロントパネル２０上に装着できる。トップパネル１９は吸入パネル１８及びフロントパネル２０とは別に形成され、吸入パネル１８及びフロントパネル２０に締結できる。トップパネル１９は吸入パネル１８及びフロントパネル２０の一つと一体的に形成できる。ケーシング１０は、トップパネル１９に空気出口１６が形成され、フロントパネル２０には後述するバケット２２の出入のために開口部が形成できる。この場合、トップパネル１９は出口パネルであり得る。ケーシング２０は、フロントパネル２０に空気出口１６が形成され、バケット２２の出入のために開口部が形成されることもできる。この場合、フロントパネルは出口パネルであり得る。
【００３８】
除湿機は、蒸発器８の表面から落下する凝縮水を収容するバケット２２をさらに含むことができる。バケット２２はケーシング１０に形成された開口部を通じてケーシング１０の内外に移動することができる。除湿機は、ケーシング１０の内部下側を区画するバリア２４を含むことができる。バリア２４はベース１７に装着できる。バリア２４はケーシング１０の内部下側をバケット２２の出入のためのバケット収容室、及び圧縮機２を配置されるための機械室に区画することができる。
【００３９】
除湿機は、蒸発器８から落下する凝縮水を受けてバケット２２に案内するドレインパン２６をさらに含むことができる。ドレインパン２６はケーシング１０内に位置することができる。ドレインパン２６はバリア２４上に水平に配置できる。凝縮器４及び蒸発器８はドレインパン２６上に装着できる。ドレインパン２６上には第１ファン３０が装着できる。第１ファン３０、凝縮器４及び蒸発器８はドレインパン２６上に一緒に配置できる。
【００４０】
除湿機は、第１通路Ｐ１及び第２通路Ｐ２を含むことができる。第１通路Ｐ１は、空気が吸入され、蒸発器８、凝縮器４、第１ファン３０及び第２ファン４０を順次通過してから除湿機の外部に吐き出される通路であり得る。第２通路Ｐ２は、空気が吸入され、第２ファン４０を通過してから外部に吐き出される通路であり得る。
【００４１】
第１通路Ｐ１及び第２通路Ｐ２はケーシング１０内に形成できる。第１通路Ｐ１及び第２通路Ｐ２は第１ファン３０と第２ファン４０の間に合わせられることができる。
【００４２】
除湿機に単一空気入口１２が形成される場合、空気入口１２の一領域は第１通路Ｐ１と連通することができ、空気入口１２の他の領域は第２通路Ｐ２と連通することができる。この際、一空気入口１２の一領域は第１通路Ｐ１の入口であり得、一空気入口１２の他の領域は第２通路Ｐ２の入口であり得る。
【００４３】
除湿機が複数の空気入口１２、１４を持つ場合、複数の空気入口１２、１４の一つである第１空気入口１２は第１通路Ｐ１と連通して、除湿機の外部空気が第１空気入口１２を通じて第１通路Ｐ１に吸入できる。除湿機が複数の空気入口１２、１４を持つ場合、複数の空気入口１２、１４の他の一つである第２空気入口１４は第２通路Ｐ２と連通して、除湿機の外部空気が第２空気入口１４を通じて第２通路Ｐ２に吸入できる。この際、第１空気入口１２は第１通路Ｐ１の入口であり得、第２空気入口１４は第２通路Ｐ２の入口であり得る。
【００４４】
第１ファン３０は第１通路Ｐ１の空気流動方向において凝縮器４と空気出口１６との間に位置することができる。第１ファン３０は第２ファン４０より凝縮器４の近くに配置できる。第１ファン３０は、少なくとも一部が凝縮器と向かい合うように装着できる。第１ファン３０は凝縮器４の前方に位置するように装着できる。第１ファン３０第１通路Ｐ１の空気流動方向において凝縮器４と第２ファン４０との間に位置して、空気は蒸発器８、凝縮器４及び第１ファンを順次通過してから第１ファン３０から第２ファン４０に送風できる。第１ファン３０は、空気が蒸発器８及び凝縮器４を通過するための高静圧を有する高静圧ファン、つまりターボファン及びシロッコファンなどの遠心ファンまたは混合流動ファン（mixed flow fan）であることが好ましい。第１ファン３０は、インペラー３１、インペラー３１を回転させるためのモーター３２、インペラー３１を取り囲み、インペラー３１の回転時に空気を案内するファンハウジング３３、及びファンハウジング３３に吸入される空気を案内するオリフィス３４を含むことができる。モーター３２はファンハウジング３３及びオリフィス３４のいずれか一側に装着できる。ファンハウジング３３はフロントパネル１０と向かい合うようにフロントパネル１０の後方に装着できる。ファンハウジング３３は、インペラー３１から送風された空気を第１ファン３０の外部に吐き出すための出口部を持つことができる。ファンハウジング３３の出口部はダクト状に形成できる。ファンハウジング３３の出口部は上方に向かうように形成できる。ファンハウジング３３の出口部は空気出口１６と向かい合うことができる。オリフィス３４はファンハウジング３３と凝縮器４との間に位置するようにファンハウジング３３に装着できる。
【００４５】
第２ファン４０は第１通路に位置することができ、第１通路Ｐ１を通過する空気流動方向において第１ファン３０と直列に配置できる。第２ファン４０第１通路Ｐ１を通過する空気の流動方向において第１ファン３０と空気出口１６との間に位置することができる。第１ファン３０及び第２ファン４０は空気を多段に送風することができる。第１ファン３０及び第２ファン４０が一緒に駆動される場合、第１ファン３０のみが単独で駆動される場合より高い流量の空気が蒸発器８及び凝縮器４を通過することができる。第２ファン４０は第１ファン３０より空気出口１６に近くに配置できる。第２ファン４０は第１ファン３０と空気出口１６との間に配置され、流動空気が蒸発器８、凝縮器４、第１ファン３０及び第２ファン４０を順次通過してから空気出口１６を通じて吐き出されるようにすることができる。第２ファン４０は第１ファン３０と空気出口１６との間に配置され、流動空気が蒸発器８、凝縮器４及び第１ファン３０の全てをバイパスしてから空気出口１６を通じて吐き出されるようにする。
【００４６】
第２ファン４０は高流量を有する高流量ファンであることが好ましい。第２ファン４０はプロペラーファン、管軸流ファン及びベーン軸流ファンなどの軸流ファンであることが好ましい。第２ファン４０はインペラー４１及びインペラー４１を回転させるためのモーター４２を含むことができる。第２ファン４０はモーター４２を装着するためのモーターマウンター４３をさらに含むことができる。第２ファン４０は第１ファン３０上に位置するように装着できる。第２ファン４０は第１ファン３０とトップパネル１９との間に位置するように装着できる。
【００４７】
除湿機は第２ファン４０によって送風される空気を案内するためのエアガイド４４をさらに含むことができる。除湿機がエアガイド４４をさらに含む場合、エアガイド４４は、少なくとも一部が第１ファン３０と第２ファン４０との間に位置することができる。エアガイド４４は、第１ファン３０から第２ファン４０に流動する空気を案内することができる。エアガイド４４は、少なくとも一部が第２ファン４０とエア出口１６との間に位置することができる。エアガイド４４は、エア出口１６から第２ファン４０に流動する空気を案内することができる。エアガイド４４は第１ファン３０の出口部３４とケーシング１０との間に配置され、空気出口１６に吐き出される空気を案内することができる。エアガイド４４は、少なくとも一部が第１ファン３０とエア出口１６との間に位置するように装着できる。エアガイド４４は第１ファン３０から第２ファン４０に流動する空気を案内することができ、第２ファン４０から空気出口１６に流動する空気を案内することができる。エアガイド４４は第１ファン３０とトップパネル１９との間に位置することができる。
【００４８】
エアガイド４４は空気通路が形成された中空円筒状に形成できる。エアガイド４４は下端が第１ファン３０の出口部３５と向かい合うことができる。エアガイド４４は上端がトップパネル１９と向かい合うことができる。
【００４９】
第２ファン４０は、第１ファン３０の出口部３５の内部から第１ファン３０の内部に吸入力を発生させるために、第１ファン３０の出口部３５に装着できる。
【００５０】
第２ファン４０は、第１ファン３０の外部から第１ファン３０の内部に吸入力を発生させるために、第１ファン３０の出口部３５の外部に装着できる。この際、第２ファン４０はエアガイド４４内に位置するようにケーシング１０またはエアガイド４４に装着できる。
【００５１】
除湿機は、蒸発器８及び凝縮器４を通過しない空気Ｂが第２ファン４０に吸入されるようにするために、非除湿空気入口４６を持つことができる。非除湿空気入口４６は除湿機内に位置することができる。非除湿空気入口４６は空気が第２ファン４０内に吸入されるようにするための第２ファン空気入口であり得る。非除湿空気入口４６は除湿機の外部から除湿機内に吸入された空気が蒸発器８及び凝縮器４をバイパスして第２ファン４０に吸入されるようにするためのバイパス入口であり得る。
【００５２】
非除湿空気入口４６は第１ファン３０の出口部３５に形成できる。第２ファン４０が第１ファン３０の出口部３５に装着される場合、非除湿空気入口４６は、空気が第１ファン３０の出口部３５に吸入されるように、第１ファン３０の出口部３５に形成できる。
【００５３】
非除湿空気入口４６は第１ファン３０と第２ファン４０との間に形成できる。第２ファン４０が第１ファン３０の外部に装着される場合、第１ファン３０の出口部３５と第２ファンとの間にギャップが形成でき、このギャップは非除湿空気入口４６であり得る。
【００５４】
除湿機がエアガイド４４を含む場合、非除湿空気入口４６は第１ファン３０とエアガイド４４との間に形成できる。除湿機がエアガイド４４を含む場合、非除湿空気入口４６はエアガイド４４に形成されることができる。エアガイド４４は第１ファン３０の出口部３５と連通するように形成でき、非除湿空気入口４６はエアガイド４４の一側に開口するように形成できる。エアガイド４４は下端が開放して第１ファン３０の出口部３５と連通することができ、非除湿空気入口４６はエアガイド４４の前後左右側の一側に形成された開口部であり得る。
【００５５】
非除湿空気入口４６は、第１ファン３０の出口部に形成されるとか、第１ファン３０と第２ファン４０との間に形成されるとか、第１ファン３０とエアガイド４４との間に形成されるとか、エアガイド４４に形成されることができる。
【００５６】
除湿機は背面から空気を吸入して上方に吐き出すことができる。この際、第１ファン３０は水平回転中心軸を持つことができ、第２ファン４０は垂直回転中心軸を持つことができる。第１ファン３０は回転中心軸が水平に配置され、前後方向に空気を吸入して上方に送風することができる。第２ファン４０は回転中心軸が垂直に配置され、空気を下側から上側に送風することができる。この際、第１ファン３０によって上方に送風された空気は第２ファン４０の上側に送風できる。
【００５７】
第１通路Ｐ１は、除湿機の外部から吸入された空気が蒸発器８及び凝縮器４からなる熱交換機を通過するときに除湿するための通路であり得る。第１通路Ｐ１は、除湿機の外部から吸入された空気を除湿後に吐き出すための除湿通路であり得る。
【００５８】
第１通路Ｐ１は、第１通路Ｐ１を通過する空気の流動方向において、空気入口１２と第１ファン３０との間の第１ファン吸入流路Ｐ３、第１ファン３０と第２ファン４０との間のファン連結流路Ｐ４、及び第２ファン４０とエア出口１６との間の共用吐出流路Ｐ５を含むことができる。第１通路Ｐ１は第１ファン３０に形成された第１ファン内部流路を含むことができる。空気は第１ファン吸入流路Ｐ３、第１ファン内部流路、ファン連結流路Ｐ４及び共用吐出流路Ｐ５を順次通過してから空気出口１６を通じて吐き出されることができる。
【００５９】
第１ファン吸入流路Ｐ３は、蒸発器８及び凝縮器４が第１ファン３０によって流動する空気流動方向に配置できる。第１ファン吸入流路Ｐ３は空気流動方向において空気入口１２とオリフィス３４との間に形成できる。第１ファン吸入流路Ｐ３は後述するドレインパン２６と流路ガイド２８との間に形成できる。空気はドレインパン２６及び流路ガイド２８を通過して第１ファン３０に吸入できる。
【００６０】
第１ファン内部流路はオリフィス３４とファンハウジング３３との間に形成できる。
【００６１】
第２ファン４０が第１ファン３０の外部に装着される場合、ファン連結流路Ｐ４は第１ファン３０の出口部３５と第２ファン４０との間に位置することができる。第２ファン４０がエアガイド４４内に位置する場合、ファン連結流路Ｐ４はエアガイド４４に形成できる。第２ファン４０が第１ファン３０の出口部３５の内部に装着される場合、ファン連結流路Ｐ４は第１ファン３０の出口部３５内に位置することができる。共用吐出流路Ｐ５は空気流動方向において第２ファン４０とエア出口１６との間に形成できる。共用吐出流路Ｐ５はエアガイド４４に形成できる。
【００６２】
第２通路Ｐ２は除湿機の外部から吸入された空気が蒸発器８及び凝縮器４を通過しない通路であり得る。第２通路Ｐ２は、除湿機の外部から吸入された空気が蒸発器８及び凝縮器４をバイパスしてから吐き出される非除湿通路（または熱交換バイパス通路）であり得る。第２通路Ｐ２は、第１通路Ｐ１内の蒸発器８及び凝縮器４を通過した空気Ａが蒸発器８及び凝縮器４を通過しない空気Ｂと混合されない通路であり得る。第２通路Ｐ２は第１ファン３０と第２ファン４０との間で第１通路Ｐ１と合わせられることができる。第２通路Ｐ２は、第２流路Ｐ２を通過する空気の流動方向において、空気入口１４と第２ファン４０との間の第２ファン吸入流路、及び第２ファン４０とエア出口１６との間の共用吐出流路Ｐ５を含むことができる。第２通路Ｐ２は、第１通路Ｐ１のファン連結流路Ｐ４に連結された第２ファン吸入流路Ｐ６を持つことができる。第２ファン吸入流路Ｐ６は、第２ファン４０によって流動する空気の流動方向において第２ファン４０の前の位置で第１通路Ｐ１のファン連結流路Ｐ４に連結できる。第２ファン吸入流路Ｐ６は、第２通路Ｐ２を通過する空気の流動方向において空気入口１４と非除湿空気入口４６との間に形成できる。第２ファン吸入流路Ｐ６は第２吸入流路Ｐ６を通過する空気の流動方向においてトップパネル１９と流路ガイド２８との間に形成できる。
【００６３】
除湿機は第１通路Ｐ１と第２通路Ｐ２との間に位置する流路ガイド２８をさらに含むことができる。流路ガイド２８はケーシング１０内に配置できる。流路ガイド２８は第１ファン吸入流路Ｐ３と第２ファン吸入流路Ｐ６を区画するように配置できる。流路ガイド２８は、一面が第１ファン吸入流路Ｐ３を成し、他面が第２ファン吸入流路Ｐ６を成すことができる。流路ガイド２８は蒸発器８及び凝縮器４の上側に位置するように第１ファン３０に配置できる。流路ガイド２８はドレインパン２６とトップパネル１９との間の空間を第１ファン吸入流路Ｐ３と第２ファン吸入流路Ｐ６に垂直方向に区画することができる。流路ガイド２８はオリフィス３４の一面から吸入パネル１８側に突出して、その上面が第２ファン吸入流路Ｐ６を成すとともにその下面が第１ファン吸入流路Ｐ３を成すことができる。
【００６４】
除湿機は、第１ファン吸入流路Ｐ３、第１ファン内部流路、ファン連結流路Ｐ４、第２ファン吸入流路Ｐ６及び共用吐出流路Ｐ５の全てが内部に形成できる。除湿機の外部から除湿機の内部に吸入された空気は、第１ファン吸入流路Ｐ３、第１ファン３０、ファン連結流路Ｐ４、第２ファン４０及び共有吐出流路Ｐ５を順次通過してから除湿機の外部に吐き出されることができる。除湿機の外部から除湿機の内部に吸入された空気は第２ファン吸入流路Ｐ６、第２ファン４０及び共用吐出流路Ｐ５を順次通過してから除湿機の外部に吐き出されることができる。除湿機の外部から除湿機の内部に吸入された空気の一部は第１ファン吸入流路Ｐ３、第１ファン３０、ファン連結流路Ｐ４、第２ファン４０及び共用吐出流路Ｐ５を順次通過してから除湿機の外部に吐き出され、残部は第２ファン吸入流路Ｐ６、第２ファン４０及び共用吐出流路Ｐ５を順次通過してから除湿機の外部に吐き出されることができる。
【００６５】
除湿機は、除湿機の外部から除湿機内に吸入される空気を浄化させる清浄ユニット５０をさらに含むことができる。清浄ユニット５０は第２通路Ｐ２ではなくて第１通路Ｐ１に、かつ第１通路Ｐ１ではなくて第２通路Ｐ２または第１通路Ｐ１及び第２通路Ｐ２に位置するように装着できる。清浄ユニットは、空気が通過するときに埃などの異物を濾過するフィルターであることができる。清浄ユニット５０はＨＥＰＡフィルターなどの高性能フィルターであり得る。清浄ユニット５０は電気集塵機またはイオン化装置であることができる。清浄ユニット５０が電気集塵機またはイオン化装置の場合、清浄ユニット５０は第１ファン３０の駆動時にオンされ、第２ファン４０の駆動時にオンされることができる。清浄ユニット５０は第１通路Ｐ１及び第２通路Ｐ２のいずれか一方に、または第１通路Ｐ１及び第２通路Ｐ２のそれぞれに装着でき、あるいは第１通路Ｐ１及び第２通路Ｐ２にわたって配置できる。
【００６６】
清浄ユニット５０が第２通路Ｐ２ではなくて第１通路Ｐ１に位置する場合、蒸発器８側に流動する空気は清浄ユニット５０で浄化されてから蒸発器８側に流動することができ、蒸発器８及び凝縮器４を通過せずに第２ファン側に流動する空気は清浄ユニット５０で浄化されず第２ファン４０側に流動することができる。この際、第１通路Ｐ１は空気浄化及び空気除湿を果たす清浄及び除湿流路として機能することができ、第２通路Ｐ２は蒸発器８及び凝縮器４を通過しない非除湿空気を第２ファン４０に案内する送風流路として機能することができる。
【００６７】
清浄ユニット５０が第１通路Ｐ１ではなく第２通路Ｐ２に位置する場合、蒸発器８に流動する空気は清浄ユニット５０を通過せずに蒸発器８側に流動することができ、蒸発器８及び凝縮器４を通過せずに第２ファン４０側に流動する空気は清浄ユニット５０で浄化されてから第２ファン４０に流動することができる。第１通路Ｐ１は空気の除湿を果たし得る除湿流路として機能することができ、第２通路Ｐ２は空気浄化及び送風を果たし得る清浄及び送風流路として機能することができる。
【００６８】
清浄ユニット５０が第１通路Ｐ１及び第２通路Ｐ２に位置する場合、蒸発器８側に流動する空気は清浄ユニット５０で浄化されてから蒸発器８側に流動することができ、蒸発器８及び凝縮器４を通過せずに第２ファン４０側に流動する空気は清浄ユニット５０で浄化されてから第２ファン４０側に流動することができる。第１通路Ｐ１は空気浄化及び空気除湿を果たし得る浄化及び除湿流路として機能することができ、第２通路Ｐ２は空気浄化及び送風を果たし得る浄化及び送風流路として機能することができる。
【００６９】
清浄ユニット５０が第２通路Ｐ２のみに位置するとか第１通路Ｐ１及び第２通路Ｐ２の両方に位置する状態で、圧縮機２は駆動されなくて第２ファン４０が駆動できる。この際、第２ファン４０によって第２通路Ｐ２側に吸入された空気は清浄ユニット５０で浄化された状態で空気出口１６に吐き出されることができる。この際、除湿機は室内空気を除湿しない空気清浄器として機能することができる。
【００７０】
清浄ユニット５０が第１通路Ｐ１のみに位置する状態で、圧縮機２は駆動されず第２ファン４０は駆動されることができる。この際、第２ファン４０によって第２流路Ｐ２に吸入される空気は清浄ユニット５０によって浄化されなかった状態で空気出口に吐き出されることができる。この際、除湿機は室内空気を除湿しないファンとして機能することができる。
【００７１】
除湿機は使用者の命令を入力する入力部（図示せず）をさらに含むことができる。除湿機は除湿機に装着された多様な電装品を制御する制御部５２をさらに含むことができる。制御部５２は圧縮機２、第１ファン３０及び第２ファン４０を制御することができる。入力部は除湿機を遠隔で制御する遠隔コントローラー、またはケーシング１０に装着されたコントロールパネルであり得る。入力部は除湿機の運転モードが入力されることができ、制御部５２は入力部を通じて入力された運転モードによって圧縮機２、第１ファン３０及び第２ファン４０を制御することができる。制御部はケーシング１０内に位置するように装着できる。制御部５２は第２通路Ｐ２を通過する空気を案内するために第２通路Ｐ２に位置することができる。制御部５２は第２通路Ｐ２を通過する空気によって放熱できる。制御部５２はトップパネル１９と流路ガイド２８との間に位置することができ、制御部５２は第２ファン吸入流路Ｐ６を形成することができ、第２ファン吸入流路Ｐ６は制御部５２と流路ガイド２８との間に形成できる。
【００７２】
第１ファン３０と第２ファン４０の流量が同一ないし類似する場合、除湿機の流量は、第１ファン３０及び第２ファン４０の駆動及び停止によって、第１ファン３０及び第２ファン４０が駆動される高流量モード、及び第１ファン３０及び第２ファン４０の一方のみ駆動され、他方は停止する低流量モードの２段階に区分できる。
【００７３】
第１ファン３０と第２ファン４０の流量差が大きい場合、除湿機の流量は、第１ファン３０及び第２ファン４０の駆動及び停止によって、第１ファン３０及び第２ファン４０の両者が駆動される高流量モード、第１ファン３０及び第２ファン４０の中で高流量を持つファンが駆動されるとともに低流量を持つファンが停止する中流量モード、及び第１ファン３０及び第２ファン４０の中で低流量のファンのみが駆動されるとともに高流量のファンが停止する低流量モードの３段階に区分できる。
【００７４】
除湿機は、少なくとも二つの運転モードを含むことができる。除湿機は複数の運転モードを有することができ、複数の運転モードから選択された単一モードで運転できる。複数の運転モードは、圧縮機２、第１ファン３０及び第２ファン４０が一緒に駆動される第１モードを含むことができる。複数の運転モードは、圧縮機２及び第１ファン３０は停止し、第２ファン４０が駆動される第２モードを含むことができる。複数の運転モードは、圧縮機２は停止し、第１ファン３０及び第２ファン４０が一緒に駆動される第３モードをさらに含むことができる。複数の運転モードは圧縮機２及び第１ファン３０は駆動され、第２ファン４０が停止する第４モードを含むことができる。複数の運転モードは圧縮機２及び第２ファン４０は停止し、第１ファン３０が駆動される第５モードを含むことができる。
【００７５】
第１モードは、除湿機の外部から空気を吸入して蒸発器８で除湿し、吐き出される空気の温度を凝縮器４と第１ファン３０との間を通過した空気の温度より低くして高流量で空気出口１６に吐き出すモードである。第１モードは高流量除湿モードであり得る。清浄ユニット５０が第１通路Ｐ１及び第２通路Ｐ２の少なくとも一方に配置される場合、第１モードは高流量除湿清浄モードであり得る。
【００７６】
第２モードは、除湿機の外部から空気を吸入し、蒸発器８及び凝縮器４との熱交換なしに吐き出すモードである。第２モードは、除湿機の外部から吸入された空気の一部が蒸発器８及び凝縮器４との熱交換なしに第１通路Ｐ１を通過するようにし、除湿機の外部から吸入された空気の残部が第２通路Ｐ２を通過するようにする。除湿機の流量を２段階に区分する場合、第２モードは低流量送風モードであり得、除湿機の流量を３段階に区分するとともに第２ファン４０が第１ファン３０の流量より高い流量を持つ場合、第２モードは中流量送風モードであり得る。除湿機の流量を３段階に区分するとともに第２ファン４０の流量が第１ファン３０の流量より低い場合、第２モードは低流量送風モードであり得る。清浄ユニット５０が第２通路Ｐ２に配置されるとか第１通路Ｐ１及び第２通路Ｐ２に配置される場合、第２モードは低流量清浄モードまたは中流量清浄モードであり得る。
【００７７】
第３モードは、除湿機の外部から空気を吸入し、空気を蒸発器８及び凝縮器４を通過させなくて高流量で吐き出すモードである。第３モードは、除湿機の外部から吸入された空気の一部が蒸発器８及び凝縮器４との熱交換なしに第１通路Ｐ１を通過するようにし、除湿機の外部から吸入された空気の残部が第２通路Ｐ２を通過するようにする。第３モードは第２モードより高い流量を持つ高流量送風モードであり得る。清浄ユニット５０が第１通路Ｐ１及び第２通路Ｐ２の少なくとも一方に配置される場合、第３モードは高流量清浄モードであり得る。
【００７８】
第４モードは、除湿機の外部から吸入した空気を蒸発器８で除湿し、空気を第１モードより低い流量で吐き出すようにするモードであり得る。第４モードは第１モードより低い流量を持つ低流量除湿モードであり得る。清浄ユニット５０が第１通路Ｐ１に配置される場合、第４モードは低流量除湿清浄モードであり得る。
【００７９】
第５モードは、除湿機の外部から空気を吸入し、除湿なしに蒸発器８及び凝縮器４を通過させ、第１モードより低い流量で吐き出すモードであり得る。第５モードは低流量送風モードであり得る。清浄ユニット５０が第１通路Ｐ１に配置される場合、第５モードは低流量清浄モードであり得る。
【００８０】
除湿機は、フロントパネル２０の後方に第１ファン３０及びエアガイド４４と一緒に配置できる。除湿機は、第１ファン３０の後方に凝縮器４が配置され、凝縮器４の後方に蒸発器８が配置できる。除湿機は、バケット２２の後方にバリア２４が配置され、バリア２４の後方に圧縮機２が配置されることができる。
【００８１】
前述した構成を有する本発明の除湿機の作用を説明する。
【００８２】
圧縮機２、第１ファン３０及び第２ファン４０の全てが駆動される場合、除湿機の外部の空気は第１通路Ｐ１及び第２通路Ｐ２に分散されて吸入できる。図１に示すように、除湿機の外部から除湿機内に吸入された空気の一部は第１通路Ｐ１内に吸入され、除湿機内に吸入された空気の残部は第２通路Ｐ２内に吸入できる。第１通路Ｐ１内に吸入された空気は蒸発器８を通過しながら除湿されることができ、凝縮器４を通過するとき、凝縮器４を通過した冷媒と熱交換して温度が上昇することができる。凝縮器４を通過した空気は第１ファン３０内に吸入できる。よって、凝縮器４を通過してから第１ファン３０内に吸入された空気は第１ファン３０の送風力及び第２ファン４０の吸入力によって第２ファン４０に流動することができる。第２通路Ｐ２内に吸入された空気は蒸発器８及び凝縮器４を通過しなくて第２ファン４０内に吸入され、蒸発器８及び凝縮器４を通過した後、第１ファン３０から送風された空気Ａと合わせられることができる。第２通路Ｐ２内に吸入された空気Ｂは凝縮器４を通過しないため、空気Ｂは蒸発器８及び凝縮器４を通過した後、第１ファン３０から第２ファン４０に送風された空気Ａより温度が低く、第２ファン４０から空気出口１６に吐き出される混合空気の温度は蒸発器８及び凝縮器４を通過してから凝縮器４と第１ファン３０との間を通過した空気Ａの温度より低いことができる。第２ファン４０から空気出口１６に送風されてから空気出口１６に吐き出される空気は、第１ファン３０及び第２ファン４０のいずれか一方のみ駆動され、他方は駆動されない場合より高い流量を持つことができ、除湿機は外部に吐き出される空気の温度を第１ファン３０のみが駆動され、第２ファン４０は駆動されない場合より低めることができる。除湿機が清浄ユニット５０を含んでいない場合であれば、除湿機は除湿機として機能することができ、除湿機が清浄融ニット５０を含む場合であれば、除湿機は除湿機及び空気清浄ユニットとして機能することができる。この際、除湿機は高流量除湿モード、または高流量除湿空気清浄モードであり得る。
【００８３】
一方、圧縮機２及び第１ファン３０が停止し、第２ファン４０が駆動される場合、除湿機の外部空気は第１通路Ｐ１及び第２通路Ｐ２に分散されて除湿機に吸入できる。図１２に示すように、除湿機の外部から除湿機内に吸入された空気の一部は第１通路Ｐ１内に吸入され、除湿機内に吸入された空気の残部は第２通路Ｐ２内に吸入できる。除湿機の外部から除湿機に吸入された空気は主に第２通路Ｐ２に吸入されることができ、第２通路Ｐ２内に吸入される空気の流量より低い流量の空気が第１通路Ｐ１内に吸入されることができる。除湿機の外部から第１通路Ｐ１内に吸入された空気は、蒸発器８、凝縮器４及び第１ファン３０を順次通過してから第２ファン４０内に吸入できる。第２通路Ｐ２内に吸入された空気は蒸発器８、凝縮器４及び第１ファンをバイパスしてから第２ファン４０内に吸入できる。第１通路Ｐ１内に吸入された空気は熱交換なしに蒸発器８を通過し、熱交換なしに凝縮器４を通過し、第２ファン４０から作用する吸入力によって第１ファン３０を通過してから第２ファン４０内に吸入できる。第２通路Ｐ２内に吸入された空気Ｂは蒸発器８及び凝縮器４を通過せずに第２ファン４０内に吸入されることができ、蒸発器８及び凝縮器４を通過した後、第１ファン３０から第２ファン４０内に吸入された空気と合わせられることができる。熱交換なしに蒸発器８及び凝縮器４を通過した空気Ａと蒸発器８及び凝縮器４をバイパスした空気Ｂは第２ファン４０によって一緒に空気出口１６に送風されることができる。第２ファン４から空気出口１６に送風されてから空気出口１６に吐き出された空気は第１ファン３０及び第２ファン４の両者が駆動される場合より低い流量を持つことができる。除湿機が清浄ユニット５０を含んでいない場合であれば、除湿機はファンとして機能することができ、除湿機が清浄ユニット５０を含む場合であれば、除湿機は清浄ユニットとして機能することができる。この際、除湿機は低流量送風モードまたは低流量空気清浄モードであり得る。
【００８４】
一方、圧縮機２が停止し、第１ファン３０及び第２ファン４０が一緒に駆動される場合、空気は除湿機の外部から第１通路Ｐ１及び第２通路Ｐ２に分散されて除湿機に吸入できる。図３に示すように、除湿機の外部から除湿機内に吸入された空気の一部は第１通路Ｐ１内に吸入され、除湿機内に吸入された空気の残部は第２通路Ｐ２内に吸入できる。第１通路Ｐ１内に吸入された空気は蒸発器８及び凝縮器４を通過してから第２ファン４０内に吸入できる。第２通路Ｐ２内に吸入された空気は蒸発器８、凝縮器４及び第１ファン３０をバイパスして第２ファン４０内に吸入できる。第１通路Ｐ１内に吸入された空気は熱交換なしに蒸発器８を通過し、熱交換なしに凝縮器４を通過することができる。熱交換なしに熱交換器を通過した空気は第１ファン３０内に吸入できる。凝縮器４を通過してから第１ファン３０内に吸入された空気は第１ファン３０の送風力及び第２ファン４０の吸入力によって第２ファン４０に流動することができる。第２通路Ｐ２内に吸入された空気Ｂは蒸発器８及び凝縮器４を通過しなくて第２ファン４０に吸入され、蒸発器８及び凝縮器４を通過した後、第１ファン３０から第２ファン４０に送風された空気Ａと合わせられることができる。熱交換なしに蒸発器８及び凝縮器４を通過した空気Ａと蒸発器８及び凝縮器４をバイパスした空気Ｂは第２ファン４０によって一緒に空気出口１６に送風できる。第２ファン４０から空気出口１６に送風されてから空気出口１６に吐き出された空気は第１ファン３０及び第２ファン４０のいずれか一方のみが駆動され、他方は駆動されない場合より高い流量を持つことができる。除湿機が清浄ユニット５０を含んでいない場合であれば、除湿機はファンとして機能し、除湿機が清浄ユニット５０を含む場合であれば、除湿機は清浄ユニットとして機能することができる。この際、除湿機は高流量送風モードまたは高流量空気清浄モードであり得る。
【００８５】
一方、圧縮機２及び第１ファン３０が駆動され、第２ファン４０が停止する場合、除湿機の外部空気は第２通路Ｐ１内に吸入されず第１通路Ｐ１内に吸入できる。図４に示すように、除湿機の外部から第１通路Ｐ１内に給された空気は蒸発器８を通過しながら除湿され、凝縮器４を通過するとき、凝縮器４を通過する冷媒によって温度が上昇することができる。凝縮器４を通過した空気は第１ファン３０内に吸入できる。凝縮器４を通過してから第１ファン３０内に吸入された空気は第１ファン３０の送風力によって第２ファン４０側に送風され、第２ファン４０を通過してから空気出口１６に送風され、空気出口１６を通じて除湿機の外部に吐き出されることができる。第１ファン３０によって送風された後、第２ファン４０を通過して空気出口１６に吐き出された空気は第１ファン３０及び第２ファン４０の両者が駆動される場合より低い流量を持つことができる。除湿機が清浄ユニット５０を含んでいない場合であれば、除湿機は除湿機として機能することができ、除湿機が清浄ユニット５０を含む場合であれば、除湿機は除湿機及び空気清浄ユニットとして機能することができる。この際、除湿機は低流量除湿モードまたは低流量除湿及び空気清浄モードであり得る。
【００８６】
一方、圧縮機２及び第２ファン４０が停止し、第１ファン３０が駆動される場合、除湿機の外部空気は第２通路Ｐ１でなくて第１通路Ｐ１内に吸入できる。図５に示すように、除湿機の外部から第１通路Ｐ１内に吸入された空気は熱交換なしに蒸発器８を通過し、熱交換なしに凝縮器８を通過してから第１ファン３０内に吸入できる。第１ファン３０内に吸入された空気は第１ファン３０の送風力によって第２ファン４０に送風され、第２ファン４０を通過してから空気出口１６に送風され、空気出口１６を通じて除湿機の外部に吐き出されることができる。第１ファン３０によって送風された後、第２ファン４０を通過してから空気出口１６を通じて吐き出された空気は第１ファン３０及び第２ファン４０の両者が駆動される場合より低い流量を持つことができる。除湿機が清浄ユニット５０を含んでない場合であれば、除湿機はファンとして機能し、除湿機が清浄ユニット５０を含む場合であれば、除湿機は空気清浄ユニットとして機能することができる。この際、除湿機は低流量送風モードまたは低流量空気清浄モードであり得る。
【００８７】
図６は圧縮機、第１ファン及び第２ファンのいずれも駆動されるときの空気の流れを示す、本発明の第２実施例による除湿機の概略図、図７は圧縮機及び第１ファンが停止し、第２ファンが駆動されるときの空気の流れを示す、本発明の第２実施例による除湿機の概略図、図８は圧縮機が停止し、第１ファン及び第２ファンが駆動されるときの空気の流れを示す、本発明の第２実施例による除湿機の概略図、図９は圧縮機及び第１ファンが駆動され、第２ファンが停止するときの空気の流れを示す、本発明の第２実施例による除湿機の概略図、図１０は圧縮機及び第２ファンが停止し、第１ファンが駆動されるときの空気の流れを示す、本発明の第２実施例による除湿機の概略図である。
【００８８】
本発明の第２実施例による除湿機の構成及び作用は、空気吐出方向及び第２ファン１４０を除き、本発明の第１実施例と同一ないし類似するため、同一参照符号を使用し、同一ないし類似の構成及び作用の詳細な説明は省略する。
【００８９】
除湿機は空気を前方に吐き出すことができ、空気出口１０６はケーシング１０の前方に前後方向に開口するように形成できる。ケーシング１０は、ベース１７、吸入パネル１８、トップパネル１９及びフロントパネル２０を含むことができ、空気出口１０６はトップパネル１９に形成されなくてフロントパネル２０の前方に前後方向に形成される。この際、フロントパネル２０は吐出パネルとなり得る。空気出口１０６がケーシング１０の前方に形成されるため、空気出口１０６は空気を前方に吐き出す前方空気出口であり得る。空気出口１０６はケーシング１０内に環形に形成できる。環形空気出口１０６を形成するため、フロントパネル２０には円形開口部２０Ａが形成され、円形開口部２０Ａの内側には環形空気出口１０６を形成するために内側ガイド２０Ｂが装着できる。内側ガイド２０Ｂは少なくとも一つの支持脚によってフロントパネル２０またはエアガイド４４に固定結合できる。内側ガイド２０Ｂは円形開口部２０Ａから隔たった外周を持つことができる。内側ガイド２０Ｂの外周と円形開口部２０Ａとの間には環形空気出口１０６が形成できる。
【００９０】
第２ファン１４０は、第１実施例の第２ファン４０の送風方向とは異なる送風方向を有し、同一機能を有する。第２ファン１４０は後方側の空気を吸入して前方に吐き出すように装着できる。第２ファン１４０はフロントパネル２０の後方に位置するように装着できる。第２ファン１４０は水平回転中心軸を持つことができる。第１ファン３０は水平回転中心軸を有するように配置され、空気を前後方向に吸入して上方に送風することができ、第２ファン１４０は第２ファン１４０が第１ファン３０の回転中心軸に平行な回転中心軸を有する状態で後方から空気を吸入して前方に送風することができる。第２ファン１４０は第１ファン３０の前方に位置するように装着されるとか、第１ファン３０の上側前方に位置するように装着されることができる。第２ファン１４０はインペラー１４１及びインペラー１４１を回転させるためのモーター１４２を含むことができる。第２ファン１４０はモーター１４２を装着するためのモーターマウンター１４３をさらに含むことができる。モーター１４２は後方に突出した回転軸を持つように配置できる。除湿機は第２ファン１４０によって送風される空気を空気出口１０６に案内するためのエアガイド１４４をさらに含むことができる。エアガイド１４４は中空形状を持つように形成できる。エアガイド１４４は空気を前後方向に案内するために前面及び背面が開放することができる。エアガイド１４４は先端が空気出口１０６と向かい合うように配置できる。エアガイド１４４は、後端が蒸発器８及び凝縮器４をバイパスする空気を吸入する空気入口１４と向かい合うように配置できる。エアガイド１４４は、第１ファン３０から流動する空気Ａを導入するための開口部、及び蒸発器８及び凝縮器４をバイパスした空気Ｂを導入するための開口部を持つことができる。エアガイド１４４は、第１ファン３０から流動する空気Ａ及び蒸発器８及び凝縮器をバイパスした空気Ｂを導入するための開口部を持つこともできる。除湿機がエアガイド１４４を持つ場合、エアガイド１４４は第１ファン３０と空気出口１０６との間に位置するように装着できる。一方、第２ファン１４０は、第１ファン３０の外部から第１ファン３０の内部に吸入力を発生させるために、第１ファン３０の出口部３５の外部に装着できる。第２ファン１４０はケーシング１０またはエアガイド１４４に装着できる。第２ファン１４０がケーシング１０に装着される場合、第２ファン１４０はフロントパネル２０に装着できる。第２ファン１４０はフロントパネル２０に装着されたモーターマウンター１４３を持つことができる。第２ファン１４０が内側ガイド２０Ｂに装着される場合、モーターマウンター１４３はエアガイド１４４に装着できる。第２ファン１４０はエアガイド１４４内に位置するように装着できる。
【００９１】
本発明の第１実施例と同様に、この実施例の除湿機は、空気を吸入し、蒸発器８、凝縮器４、第１ファン３０及び第２ファン４０を順次通過した後、除湿機の外部に空気を吐き出すための第１通路Ｐ１、及び空気を吸入し、第２ファン１４０を通過した後、除湿機の外部に吐き出すための第２通路Ｐ２を含むことを提案する。本発明の第１実施例と同様に、第１通路Ｐ１は、第１ファン吸入流路Ｐ３、第１ファン内部流路、ファン連結流路Ｐ４及び共用吐出流路Ｐ５を含むことができる。本発明の第１実施例と同様に、第２通路Ｐ２は第２ファン吸入流路Ｐ６及び共用吐出流路Ｐ５を含むことができる。
【００９２】
本発明の第１実施例と同様に、この実施例は複数の運転モードを選択的に実行することを提案する。
【００９３】
第１モードにおいて、除湿機は、圧縮機２、第１ファン３０及び第２ファン１４０の全てが駆動されることができ、図６に示すように、除湿機の外部空気は第１通路Ｐ１及び第２通路Ｐ２に分散されて除湿機内に吸入できる。本発明の第１実施例の第１モードと同様に、除湿機の外部から第１通路Ｐ１内に吸入された空気は蒸発器８で除湿されてから凝縮器４で加熱され、凝縮器４から第１ファン３０内に吸入できる。第１ファン３０内に吸入された空気は第１ファン３０から第２ファン１４０に送風できる。本発明の第１実施例の第１モードと同様に、除湿機の外部から第２通路Ｐ２内に吸入された空気は蒸発器８、凝縮器４及び第１ファン３０をバイパスしてから第２ファン１４０内に吸入できる。第１ファン３０から第２ファン１４０に送風された空気Ａは蒸発器８、凝縮器４及び第１ファン３０をバイパスした空気Ｂと合わせられ、第２ファン１４０の前方に送風されることができる。第２ファン１４０の前方に送風された空気は空気出口１０６を通過して空気出口１０６の前方に吐き出される。除湿機は、第１ファン３０及び第２ファン４０のいずれか一方が駆動され、他方は駆動されない場合より高流量及び低温で空気を前方に吐き出すことができる。除湿機は両ファン３０、４０によって送風された除湿された空気を高流量で空気出口１０６の前方に吐き出す高流量除湿機として機能することができる。
【００９４】
第２モードにおいて、除湿機は、圧縮機２及び第１ファン３０が停止し、第２ファン４０は駆動されることができ、図７に示すように、除湿機の外部空気は第１通路Ｐ１及び第２通路Ｐ２に分散されて吸入されることができる。本発明の第１実施例の第２モードと同様に、除湿機の外部から第１通路Ｐ１内に吸入された空気は熱交換なしに蒸発器８及び凝縮器４を順次通過した後、第１ファン３０から第２ファン１４０に送風されることができる。本発明の第１実施例の第２モードと同様に、除湿機の外部から第２通路Ｐ２内に吸入された空気は蒸発器８、凝縮器４及び第１ファン３０をバイパスしてから第２ファン１４０内に吸入できる。第１ファン３０から第２ファン１４０に送風された空気Ａは蒸発器８、凝縮器４及び第１ファン３０をバイパスしてから空気Ｂと合わせられ、第２ファン１４０の前方に送風されることができる。第２ファン１４０の前方に送風された空気は空気出口１０６を通過して空気出口１０６の前方に吐き出され、除湿機は空気を空気出口１０６の前方に送風するファンとして機能することができる。
【００９５】
第３モードにおいて、除湿機は、圧縮機２が停止し、第１ファン３０及び第２ファン１４０が一緒に駆動されることができ、図８に示すように、除湿機の外部空気は第１通路Ｐ１及び第２通路Ｐ２に分配されることができる。本発明の第１実施例の第３モードと同様に、除湿機の外部から第１通路Ｐ１内に吸入された空気は熱交換なしに蒸発器８及び凝縮器４を通過した後、第１ファン３０から第２ファン１４０に送風できる。本発明の第１実施例の第３モードと同様に、除湿機から第２通路Ｐ２内に吸入された空気は蒸発器８、凝縮器４及び第１ファン３０をバイパスしてから第２ファン１４０内に吸入できる。第１ファン３０から第２ファン１４０に送風された空気Ａは蒸発器８、凝縮器４及び第１ファン３０をバイパスしてから空気Ｂと合わせられ、第２ファン１４０の前方に送風できる。第２ファン１４０の前方に送風された空気は空気出口１０６を通過してから空気出口１０６の前方に吐き出され、除湿機は空気を前方に送風するファンとして機能することができる。第３モードにおいて、除湿機は第１ファン３０及び第２ファン１４０のいずれか一方が駆動され、他方は停止する場合より高い流量で空気を吐き出すことができ、両ファン３０、４０によって送風される高流量の空気を空気出口１０６の前方に送風する高流量ファンとして機能することができる。
【００９６】
第４モードにおいて、除湿機は、圧縮機２０及び第１ファン３０が駆動され、第２ファン１４０が停止することができ、図９に示すように、除湿機の外部空気は第２通路Ｐ２ではなくて第１通路Ｐ１内に吸入されることができる。本発明の第１実施例の第４モードと同様に、除湿機の外部から第１通路Ｐ１内に吸入された空気は蒸発器８で除湿された後、凝縮器４で温度が上昇することができ、凝縮器４から第１ファン３０内に吸入できる。第１ファン３０内に吸入された空気は第１ファン３０の送風力によって第１ファン３０から第２ファン１４０に送風され、第２ファン１４０を通過してから空気出口１０６に送風され、空気出口１０６の前方に吐き出されることができる。除湿機は除湿された空気を空気出口１０６の前方に吐き出す除湿機として機能することができる。
【００９７】
第５モードにおいて、除湿機は、圧縮機２及び第２ファン１４０が停止し、第１ファン３０が駆動されることができ、図１０に示すように、除湿機の外部空気は第２通路Ｐ２ではなくて第１通路Ｐ１内に吸入されることができる。本発明の第１実施例の第５モードと同様に、除湿機の外部から第１通路Ｐ１内に吸入された空気は熱交換なしに蒸発器８及び凝縮器４を順次通過した後、第１ファン３０内に吸入できる。第１ファン３０内に吸入された空気は第１ファン３０の送風力によって第１ファン３０から第２ファン１４０に送風され、第２ファン１４０を通過してから空気出口１０６に送風され、空気出口１０６の前方に吐き出されることができる。除湿機は空気を空気出口１０６の前方に吐き出すファンとして機能することができる。
【００９８】
図１１は圧縮機、第１ファン及び第２ファンのいずれも駆動され、流路制御器が第１空気出口吐出モードにあるときの空気の流れを示す、本発明の第３実施例による除湿機の概略図、図１２は圧縮機及び第１ファンが駆動され、第２ファンが停止し、流路制御器が第１空気出口吐出モードにあるときの空気の流れを示す、本発明の第３実施例による除湿機の概略図、図１３は圧縮機が停止し、第１ファン及び第２ファンが駆動され、流路制御器が第１空気出口吐出モードにあるときの空気の流れを示す、本発明の第３実施例による除湿機の概略図、図１４は圧縮機及び第１ファンが駆動され、第２ファンが停止し、流路制御器が第１空気出口吐出モードにあるときの空気の流れを示す、本発明の第３実施例による除湿機の概略図、図１５は圧縮機及び第２ファンが停止し、第１ファンが駆動され、流路制御器が第１空気出口吐出モードにあるときの空気の流れを示す、本発明の第３実施例による除湿機の概略図、図１６は圧縮機、第１ファン及び第３ファンのいずれも駆動され、流路制御器が第２空気出口吐出モードにあるときの空気の流れを示す、本発明の第３実施例による除湿機の概略図、図１７は圧縮機及び第１ファンが停止し、第２ファンが駆動され、流路制御器が第２空気出口吐出モードにあるときの空気の流れを示す、本発明の第３実施例による除湿機の概略図、図１８は圧縮機が停止し、第１ファン及び第２ファンが駆動され、流路制御器が第２空気出口吐出モードにあるときの空気の流れを示す、本発明の第３実施例による除湿機の概略図、図１９は圧縮機及び第１ファンが駆動され、第２ファンが停止し、流路制御器が第２空気出口吐出モードにあるときの空気の流れを示す、本発明の第３実施例による除湿機の概略図、図２０は圧縮機及び第２ファンが停止し、第１ファンが駆動され、流路制御器が第２空気出口吐出モードにあるときの空気の流れを示す、本発明の第３実施例による除湿機の概略図である。
【００９９】
この実施例の除湿機は、空気を吸入するための第１空気入口１１２及び第２空気入口１１４が形成され、空気を吐き出すための第１空気出口１１６及び第２空気出口１１８が形成されることができる。
【０１００】
第１空気入口１１２及び第２空気入口１１４は除湿機の互いに異なる面に形成できる。第１空気入口１１２は除湿機の背面に形成され、第２空気入口１１４は上下左右面の少なくとも一面に形成されることができる。第１空気入口１１２は第２空気入口１１４より相対的に後方部に形成できる。第１空気入口１１２が後方入口である場合、第２空気入口１１４は前方入口であり得る。第２空気入口１１４は複数が除湿機の互いに異なる面に形成できる。第２空気入口１１４は除湿機の上面に少なくとも一つが形成されるとともに除湿機の前面に少なくとも一つが形成されることができる。
【０１０１】
第１空気出口１１６と第２空気出口１１８は除湿機の互いに異なる面に形成できる。第１空気出口１１６及び第２空気出口１１８は除湿機の互いに異なる方向に空気を吐き出すように形成できる。第１空気出口１１６はケーシング１０の前後方向に開放するように形成され、第２空気出口１１８は第１空気出口１１６とは違う方向に空気を吐き出すようにケーシング１０に形成されることができる。第１空気出口１１６は除湿機の前面に形成され、第２空気出口１１８は除湿機の上下左右面の少なくとも一面に形成されることができる。除湿機の上面に形成される場合、第２空気出口１１８は第１ファン３０から吸入された空気を除湿機の上方に吐き出すことができる。除湿機の下面に形成される場合、第２空気出口１１８は第１ファン３０から送風された空気を除湿機の後方に吐き出すことができ、除湿機の左右面の少なくとも一面に形成される場合、第２空気出口１１８は第１ファン３０から送風された空気を除湿機の横方向に吐き出すことができる。第１空気出口１１６は相対的に第２空気出口１１８の前方に形成されることができ、第１空気出口１１６が前方空気出口である場合、第２空気出口１１８は後方空気出口であり得る。除湿機は第１ファン３０から送風された空気の第２空気出口１１８への吐出しを案内するための第２空気出口エアガイド２４４をさらに含むことができる。第２空気出口エアガイド２４４は第１ファン３０と第２空気出口１１８との間に位置するように装着できる。第２空気出口エアガイド２４４は中空形を有するように形成できる。第２空気出口１１８が空気を除湿機の上方に吐き出すように形成される場合、第２空気出口エアガイド２４４は第１ファン３０から送風された空気を垂直方向に案内するように形成できる。第２空気出口１１８が空気を除湿機の後方に吐き出すように形成される場合、第２空気出口エアガイド２４４は第１ファン３０から送風された空気を前後方向に案内するように形成できる。第２空気出口１１８が空気を除湿機の横方向に吐き出すように形成される場合、第２空気出口エアガイド２４４は第１ファン３０から送風された空気を 横方向に案内するように形成できる。
【０１０２】
この実施例の除湿機は、第１ファン３０の前方に位置する第２ファン２４０を持つことができる。本発明の第１実施例と同様に、第ファン２４０は空気を前方に送風することができる。第２ファン２４０は本発明の第２実施例による第２ファン１４０の送風方向に平行な方向に空気を送風することができる。第２ファン２４０は後方から空気を吸入して前方に吐き出すように装着できる。フロントパネル２０は第１ファン３０と向かい合う位置に形成された円形開口部２０Ａを持つことができる。フロントパネル２０は円形開口部２０Ａの内側に第１環形空気出口１１６を形成するために配置された内側ガイド２０Ｂを持つことができる。第１空気出口１１６は第１ファン３０の前板と向かい合うことができる。第１空気出口１１６は第１ファン３０のファンハウジング３３と向かい合うことができる。
【０１０３】
第２ファン２４０は前板２０と第１ファン３０との間に位置するように装着できる。第２ファン２４０は水平回転中心軸を持つことができる。第２ファン２４０はインペラー２４１及びインペラー２４１を回転させるためのモーターを含むことができる。第２ファン２４０はモーター２４２を装着するためのモーターマウンター２４３をさらに含むことができる。モーターマウンター２４３は前板２０に装着できる。モーターマウンター２４３は第１ファン３０のファンハウジング３３に装着できる。
【０１０４】
第２ファン２４０のインペラー２４１は第１ファン２０のファンハウジング３３と向かい合うように配置できる。第２ファン２４０のインペラー２４１は空気を第１空気出口１１６と第１ファン３０との間から第１空気出口１１６の前方に送風することができる。
【０１０５】
モーター２４３が全板２０に装着される場合、第２ファン２４０のモーター２４２は第１ファン３０側に突出する回転軸を持つことができ、第２ファン２４０のインペラー２４１は前板２０と第１ファン３０との間で回転することができる。
【０１０６】
この実施例の除湿機は、空気を第１空気入口１１２内に吸入し、蒸発器８、凝縮器４、第１ファン３０及び第２ファン２４０を順次通過した後、第１空気出口１１６に吐き出すための第１通路Ｐ１１を含むことができる。
【０１０７】
この実施例の除湿機は、空気を第２空気入口１１４内に吸入し、第２ファン２４０を通過した後、第１空気出口１１６を通じて吐き出すための第２通路Ｐ１２を含むことができる。
【０１０８】
この実施例の除湿機は、空気を第１空気入口１１２内に吸入し、蒸発器８、凝縮器４及び第１ファン３０を通過した後、第２空気出口１１８に吐き出すための第３通路Ｐ１７を含むことができる。
【０１０９】
第１ファン３０は第１通路Ｐ１１の空気流動方向において凝縮器４と第２ファン２４０との間に位置することができる。第１ファン３０は第３通路Ｐ１７の空気流動方向において凝縮器４と第２空気出口１１８との間に位置することができる。
【０１１０】
第２ファン２４０は第１通路Ｐ１１の空気流動方向において第１ファン３０と第１空気出口１１６との間に位置することができる。第２ファン２４０は第２通路Ｐ１２の空気流動方向において第２空気入口１１４と第１空気出口１１６との間に位置することができる。
【０１１１】
第１通路Ｐ１１は、第１通路Ｐ１１を通過する空気の流動方向において、第１空気入口１１２と第１ファン３０との間の第１ファン吸入流路Ｐ１３、第１ファン３０と第２ファン２４０との間のファン連結流路Ｐ１４、及び第２ファン２４０と第１空気出口１１６との間の共用吐出流路Ｐ１５を含むことができる。第１通路Ｐ１１は第１ファン３０に形成された第１ファン内部流路をさらに含むことができる。
【０１１２】
第２通路Ｐ１２は、第２空気入口１１４内に吸入された空気が蒸発器８、凝縮器４及び第１ファン３０を通過しなくて第１空気出口１１６に吐き出されることができる。第２通路Ｐ１２は、第２通路Ｐ１２を通過する空気の流動方向において、第２空気入口１１４と第２ファン２４０との間の第２ファン吸入流路Ｐ１６、及び第２ファン２４０と第１空気出口１１６との間の共用吐出通路Ｐ１５を含むことができる。
【０１１３】
第３通路Ｐ１７は、第１空気入口１１２内に吸入された空気が第２ファン２４０を通過しなくて第２空気出口１１８を通じて吐き出されることができる。第３通路Ｐ１７は、第３通路Ｐ１７を通過する空気の流動方向において、第１空気入口１１２と第１ファン３０との間の第１ファン吸入流路Ｐ１３、及び第１ファン３０と第２空気出口１１８との間の独立吐出流路Ｐ１８を含むことができる。第３通路Ｐ１７は第１ファン３０に形成された第１ファン内部流路をさらに含むことができる。
【０１１４】
第１ファン吸入流路Ｐ１３は空気流動方向において第１空気入口１１２とオリフィス３４との間に形成できる。第１ファン吸入流路Ｐ１３はドレインパン２６と流路ガイド２８との間に形成できる。
【０１１５】
第１ファン内部流路はオリフィス３４とファンハウジング３３との間に形成できる。
【０１１６】
ファン連結流路Ｐ１４は空気流動方向において第１ファン３０の出口部３５と第２ファンＰ１４との間に位置することができる。ファン連結流路Ｐ１４は連通部２４６を含むことができる。ファン連結流路Ｐ１４は前板２０と第１ファン３０からなることができる。ファン連結流路Ｐ１４は前板２０の背面と第１ファン３０のファンハウジング３３の前面からなることができる。
【０１１７】
第２ファン吸入流路Ｐ１６は空気流動方向において第２空気入口１１４と第２ファン２４０との間に形成できる。第２ファン吸入流路Ｐ１６は前板２０と第２空気出口エアガイド２４４からなることができる。第２ファン吸入流路Ｐ１６は前板２０の背面と第２空気出口エアガイド２４４の前面との間に形成できる。第２ファン吸入流路Ｐ１６は第１ファン３０からなることができる。第２ファン吸入流路Ｐ１６は第１ファン３０のファンハウジング３３の前面からなることができる。
【０１１８】
独立吐出流路Ｐ１８は第２空気出口エアガイド２４４からなることができる。
【０１１９】
第１通路Ｐ１１と第３通路Ｐ１７は空気流動方向において分岐することができ、第１通路Ｐ１１及び第２通路Ｐ１２は空気流動方向において合わせられることができる。第３通路Ｐ１７は、空気流動方向において、第１ファン３０と第２ファン２４０との間で第１通路Ｐ１１から分岐することができる。第２通路Ｐ１２は空気流動方向において第１ファン３０と第２ファン２４０との間で第１通路Ｐ１１と結合できる。
【０１２０】
第１空気入口１１２内に吸入された空気は第１ファン吸入流路Ｐ１３、第１ファン内部流路、ファン連結流路Ｐ１４及び共用吐出流路Ｐ１５を順次通過した後、第１空気出口１１６に吐き出されることができる。第１空気入口１１２内に吸入された空気は第１ファン吸入流路Ｐ１３、第１ファン内部流路及び独立吐出流路Ｐ１８を順次通過してから第２空気出口１１８に吐き出されることができる。
【０１２１】
第２空気入口１１４内に吸入された空気は第２吸入流路Ｐ１６及び共用吐出流路Ｐ１５を順次通過してから第１空気出口に吐き出されることができる。
【０１２２】
除湿機は第２ファン２４０を通過した空気が第１ファン３０に流動するように形成された連通口２４６を持つことができる。連通口２４６は第１空気入口１１２内に吸入される空気の流動方向において第１ファン３０と第２ファン２４０との間に位置することができる。連通口２４６はファン連結流路Ｐ１４の一部であり得る。連通口２４６は第１ファン３０のファンハウジング３３とケーシング１０との間に形成できる。連通口２４６は後述する第１ファン３０のファンハウジング３３と第２空気出口エアガイド２４４との間に形成できる。
【０１２３】
除湿機は除湿機内の流路を制御するための流路制御器２６０をさらに含むことができる。
【０１２４】
流路制御器２６０は流路制御部材２６２及び流路制御部材２６２を作動させるための作動器２６４を含むことができる。流路制御器２６０は連通口２４６を開閉するように装着できる。流路制御器２６０は連通口２４６を開閉することで除湿機内の流路を制御することができる。流路制御器２６０は第２空気出口１１８を開閉するように装着できる。流路制御器２６０は第２空気出口１１８を開閉することで除湿機内の流路を制御することができる。
【０１２５】
流路制御器２６０は連通口２４６を開閉するための連通口流路制御器及び第２空気出口１１８を開閉するための第２空気出口流路制御器を含むことができる。連通口流路制御器及び第２空気出口流路制御器のそれぞれは流路制御部材及び作動器を含むことができる。連通口流路制御器が連通口２４６を開けるとき、第２空気出口流路制御器は第２空気出口を閉めることができる。連通口流路制御器が連通口２３６を閉めるとき、第２空気出口流路制御器は第２空気出口１１８を開けることができる。
【０１２６】
流路制御器２６０は連通口２４６及び第２空気出口１１８のそれぞれに設けられず、単一流路制御器が連通口２４６を開けながら第２空気出口１１８を閉めるとか、反対に単一流路制御器が連通口２４６を閉めながら第２空気出口１１８を開けることができる。この際、単一流路制御部材２６２は連通口２４６を開ける位置にあるときに第２空気出口１１８を閉めることができ、逆もまた同様である。
【０１２７】
流路制御器２６０は、流路制御器２６０が第１ファン３０と第２ファン２４０との間の連通口２４６を開ける第１モード、及び流路制御器２６０が第１ファン３０と第２ファン２４０との間の連通口２４６を閉める第２モードを持つことができる。第１モードは連通口開放モードであり、第２モードは連通口閉鎖モードであり得る。流路制御器２６０は第１モードにおいて第２空気出口１１８を閉めるための第２空気出口閉鎖モード、及び第２モードにおいて第２空気出口１１８を開けるための第２空気出口開放モードであり得る。
【０１２８】
流路制御器２６０の第１モードにおいて、第１空気入口１１２内に吸入された空気は第１ファン３０から第２空気出口１１８に吐き出されなくて第２ファン２４０に送風できる。流路制御器２６０の第２モードにおいて、第１空気入口１１２内に吸入された空気は第１ファン３０から第２ファン２４０に送風されなくて第２空気出口１１８側に送風できる。流路制御器２６０の第１モードは第１空気入口１１２内に吸入された空気が第１空気出口１１６に吐き出される第１空気出口吐出モードであり得る。流路制御器２６０の第２モードは第１空気入口１１２内に吸入された空気が第２空気出口１１８に吐き出される第２空気出口吐出モードであり得る。
【０１２９】
連通口２４６を開けるとき、流路制御部材２６２は第１ファン３０から送風された空気を連通口２４６に案内する第１エアガイドとして機能することができる。連通口２４６を閉めるとき、流路制御部材２６２は第１ファン３０から送風された空気を第２空気出口１１８に案内する第２エアガイドとして機能することができる。流路制御部材２６２は、一面が第１エアガイドとして機能し、他面が第２エアガイドとして機能することができる。
【０１３０】
連通口２４６を閉めるとき、流路制御部材２６２は第１ファン３０と第２空気出口１１８との間を遮断しないように位置し、第１ファン３０を通過した空気が第２空気出口１１８に吐き出されるようにすることができる。
【０１３１】
連通口２４６を開けるとき、流路制御部材２６２は第１ファン３０と第２空気出口１１８との間を遮断するように位置し、第１ファン３０を通過した空気が第２空気出口１１８に吐き出されることを防止することができる。すなわち、流路制御部材２６２は第２空気出口１１８を閉める第２空気出口閉鎖器として機能することができる。
【０１３２】
流路制御部材２６２は除湿機内に回転可能に装着されるとか移動可能に配置されることができる。流路制御部材２６２は、流路制御部材２６２が連通口２４６を閉めるとともに第２空気出口１１８を開ける第１位置、または流路制御部材２６２が連通口２４６を開けるとともに第２空気出口１１８を閉める第２位置に位置することができる。
【０１３３】
連通口２４６は除湿機の前後方向に水平方向に開くことができ、第２空気出口１１８は除湿機の上側に上下方向に垂直に開くことができる。
【０１３４】
垂直に配置されたとき、流路制御部材２６２は流路制御部材２６２が連通口２４６を開けるとともに第２空気出口１１８を閉める第１位置に位置することができる。第１位置に位置するとき、流路制御部材２６２は第１ファン３０から流動する空気を上方に吐き出されるように案内することができる。
【０１３５】
垂直に配置されたとき、流路制御部材２６２は流路制御部材２６２が連通口２４６を開けるとともに第２空気出口１１８を閉める第２位置に位置することができる。第２位置に位置するとき、流路制御部材２６２は第１ファン３０から流動する空気を前方に流動するように案内することができる。
【０１３６】
この実施例の除湿機の構成及び作用は、第１空気入口１１２、第２空気入口１１４、第１空気出口１１６、第２空気出口１１８、第１通路Ｐ１１、第２通路Ｐ１２、第３通路Ｐ１７、第２ファン２４０及び流路制御器２６０を除き、本発明の第１ないし第２実施例と同一ないし類似するため、同一参照符号を使用し、この実施例の除湿機の構成及び作用についての詳細な説明は省略する。
【０１３７】
以下、説明の便宜上、流路制御器２６０の第１モードは第１空気出口吐出モードと称して説明し、第２モードは第２空気出口吐出モードと称して説明する。
【０１３８】
除湿機は少なくとも二つのモードを含むことができる。除湿機は複数の運転モードを持つことができ、複数の運転モードから選択された一運転モードで運転できる。
【０１３９】
複数の運転モードは、流路制御器２６０が第１空気出口吐出モードにあり、圧縮機２、第１ファン３０及び第２ファン４０が一緒に作動される第１モードを含むことができる。複数の運転モードは、流路制御器２６０が第１空気出口吐出モードにあり、圧縮機２及び第１ファン３０は停止し、第２ファンが駆動される第２モードを含むことができる。複数の運転モードは、流路制御器２６０が第１空気出口吐出モードにあり、圧縮機２は停止し、第１ファン３０及び第２ファン２４０が一緒に駆動される第３モードをさらに含むことができる。複数の運転モードは、流路制御器２６０が第１空気出口吐出モードにあり、圧縮機２及び第１ファン３０は駆動され、第２ファン２４０は停止する第４モードを含むことができる。複数の運転モードは、流路制御器２６０が第１空気出口吐出モードにあり、圧縮機２及び第２ファン４０は停止し、第１ファン３０は駆動される第５モードを含むことができる。
【０１４０】
複数の運転モードは、流路制御器２６０が第２空気出口吐出モードにあり、圧縮機２、第１ファン３０及び第２ファン２４０の全てが駆動される第６モードを含むことができる。複数の運転モードは、流路制御器２６０が第２空気出口吐出モードにあり、圧縮機２及び第１ファン３０は停止し、第２ファン２４０は駆動される第７モードを含むことができる。複数の運転モードは、流路制御器２６０が第２空気出口吐出モードにあり、圧縮機２は停止し、第１ファン３０及び第２ファン２４０は一緒に駆動される第８モードを含むことができる。複数のモードは、流路制御器２６０が第２空気出口吐出モードにあり、圧縮機２及び第１ファン３０は駆動され、第２ファン２４０は停止する第９モードを含むことができる。複数の運転モードは、流路制御器２６０が第２空気出口吐出モードにあり、圧縮機２及び第２ファン２４０は停止し、第１ファン３０は駆動される第１０モードを含むことができる。
【０１４１】
この実施例による除湿機の各モードの運転を説明する。
【０１４２】
圧縮機２、第１ファン３０及び第２ファン４０が一緒に駆動され、流路制御器２６０が第１空気出口吐出モードにあれば、図１１に示すように、除湿機の外部空気は第１空気入口１１２及び第２空気入口１１４に分配されて除湿機内に吸入される。本発明の第２実施例の第１モードと同様に、除湿機の外部から第１空気入口１１２内に吸入された空気は蒸発器８を通過しながら除湿され、凝縮器を通過するとき凝縮器４を通過する冷媒によって温度が上昇することができる。凝縮器を通過した空気は第１ファン３０内に吸入できる。凝縮器４を通過してから第１ファン３０内に吸入された空気は第１ファン３０の送風力及び第２ファン２４０の吸入力によって第２ファン２４０に流動することができ、第１ファン３０から第２ファン２４０に流動する空気は連通口２４６を通過してから第２ファン２４０内に吸入できる。本発明の第２実施例の第１モードと同様に、第２空気入口１１４内に吸入された空気は蒸発器８、凝縮器４及び第１ファン３０をバイパスしてから第２ファン２４０内に吸入され、第１ファン３０から第２ファン２４０に送風された空気と合わせられることができる。第１空気出口１１６が前方空気出口である場合、除湿機は両ファン３０、２４０によって送風された除湿空気を高流量で第１空気出口１１６の前方に吐き出す高流量除湿機として機能することができる。第１空気出口１１６が前方空気出口である場合、流路制御器２６０が第１空気出口吐出モードであり、圧縮機２、第１ファン３０及び第２ファン４０が一緒に駆動されれば、除湿機は前方高流量除湿モードにあり得る。
【０１４３】
一方、圧縮機２及び第１ファン３０が停止し、第２ファン２４０が駆動され、流路制御器２６０が第１空気出口吐出モードにある場合、図１２に示すように、除湿機の外部空気は第１空気入口１１２及び第２空気入口１１４に分配されて除湿機内に吸入できる。本発明の第２実施例の第２モードと同様に、除湿機の外部から第１空気入口１１２内に吸入された空気は熱交換なしに蒸発器８及び凝縮器４を通過してから第１ファン３０を通過し、連通口２４６を通過してから第２ファン２４０内に吸入されることができる。本発明の第２実施例の第２モードと同様に、除湿機の外部から第１空気入口１１４内に吸入された空気は蒸発器８、凝縮器４及び第１ファン３０をバイパスしてから第２ファン２４０内に吸入され、第１ファン３０から第２ファン２４０内に吸入された空気と合わせられることができる。第１空気出口１１６が前方空気出口である場合、除湿機は一つのファン２４０によって送風された非除湿空気を第１空気出口１１６の前方に吐き出すファンとして機能することができる。第１空気出口１１６が前方空気出口であり、流路制御器２６０が第１空気出口吐出モードにあり、圧縮機２及び第１ファン３０が停止し、第２ファン２４０が駆動される場合、除湿機は前方ファンモードにあり得る。除湿機の流量を２段階に区分する場合、除湿機は前方低流量ファンモードにあり得る。除湿機の流量を３段階に区分し、第２ファン２４０が第１ファン３０の流量より高い流量を持つ場合、除湿機は前方中流量ファンモードにあり得る。除湿機の流量を３段階に区分し、第２ファン３４０が第１ファン３０の流量より低い流量を持つ場合、除湿機は前方低流量ファンモードにあり得る。
【０１４４】
一方、圧縮機２が停止し、第１ファン３０及び第２ファン２４０が一緒に駆動され、流路制御器２６０が第１空気出口吐出モードにある場合、図１３に示すように、除湿機の外部空気は第１空気入口１１２及び第２空気入口１１４に分配されて除湿機内に吸入できる。本発明の第２実施例の第３モードと同様に、除湿機の外部から第１空気入口１１２内に吸入された空気は熱交換なしに蒸発器８及び凝縮器４を通過してから第１ファン３０内に吸入できる。凝縮器４を通過してから第１ファン３０内に吸入された空気は第１ファン３０の送風力及び第２ファン２４０の吸入力によって第２ファン２４０に送風され、第１ファン３０から第２ファン２４０に流動する空気は連通口２４６を通過してから第２ファン２４０内に吸入できる。本発明の第２実施例の第３モードと同様に、除湿機の外部から第２空気入口１１４内に吸入された空気は蒸発器８、凝縮器４及び第１ファン３０をバイパスしてから第２ファン２４０内に吸入され、第１ファン３０から第２ファン２４０内に吸入された空気と合わせられることができる。第１空気出口１１６が前方空気出口である場合、除湿機は両ファン３０、２４０によって送風された高流量の非除湿空気を第１空気出口１１６の前方に吐き出す高流量ファンとして機能することができる。第１空気出口１１６が前方空気出口であり、流路制御器２６０が第１空気出口吐出モードにあり、圧縮機２が停止し、第１ファン３０及び第２ファン２４０が一緒に駆動される場合、除湿機は前方高流量ファンモードにあり得る。
【０１４５】
一方、圧縮機２及び第１ファン３０が駆動され、第２ファン２４０が停止し、流路制御器２６０が第１空気出口吐出モードにある場合、図１４に示すように、除湿機の外部空気は第２空気入口１１４ではなく第１空気入口１１２を通じて除湿機内に吸入できる。本発明の第２実施例の第４モードと同様に、除湿機の外部から第１空気入口１１２内に吸入された空気は蒸発器８で除湿され、凝縮器４で加熱され、凝縮器４から第１ファン３０内に吸入できる。第１ファン３０内に吸入された空気は第１ファン３０の送風力によって第１ファン３０から第２ファン２４０に送風され、連通口２４６を通過してから第２ファン２４０に送風できる。第２ファン２４０に送風された空気は第１ファン３０の送風力によって第１空気出口を通じて吐き出されることができる。第１空気出口１１６が前方空気出口である場合、除湿機は一つのファン３０によって送風された除湿空気を第１空気出口１１６の前方に吐き出す除湿機として機能することができる。第１空気出口１１６が前方空気出口であり、流路制御器２６０が第１空気出口吐出モードにあり、圧縮機２及び第１ファン３０が駆動され、第２ファン２４０が停止する場合、除湿機は低流量除湿モードにあり得る。
【０１４６】
一方、圧縮機２及び第２ファン２４０が停止し、第１ファン３０が駆動され、流路制御器２６０が第１空気出口吐出モードにある場合、図１５に示すように、除湿機の外部空気は第２空気入口１１４ではなくて第１空気入口１１２を通じて除湿機内に吸入できる。本発明の第２実施例の第５モードと同様に、除湿機の外部から第１空気入口１１２内に吸入された空気は熱交換なしに蒸発器８及び凝縮器４を通過してから第１ファン３０内に吸入できる。第１ファン３０内に吸入された空気は第１ファン３０の送風力によって第１ファン３０から第２ファン２４０に送風され、連通口２４６を通過してから第２ファンに送風されることができる。第２ファン２４０に送風された空気は第１ファン３０の送風力によって第１空気出口１１６に吐き出されることができる。第１空気出口１１６が前方空気出口である場合、除湿機は一つのファン３０によって送風された非除湿空気を第１空気出口１１６の前方に吐き出すファンとして機能することができる。第１空気出口１１６が前方空気出口であり、流路制御器２６０が第１空気出口吐出モードにあり、圧縮機２及び第２ファン２４０が停止し、第１ファン３０が駆動される場合、除湿機は前方低流量ファンモードにあり得る。
【０１４７】
一方、圧縮機２、第１ファン３０及び第２ファン２４０の全てが駆動され、流路制御器２６０が第２空気出口吐出モードにある場合、図１６に示すように、除湿機の外部空気は第１空気入口１１２及び第２空気入口１１４に分配されて除湿機内に吸入できる。除湿機の外部から第１空気入口１１２内に吸入された空気は蒸発器８を通過しながら除湿され、凝縮器４を通過するとき、凝縮器４を通過する冷媒によって温度が上昇する。凝縮器４を通過した空気は第１ファン３０内に吸入できる。凝縮器４を通過してから第１ファン３０内に吸入された空気は第１ファン３０の送風力によって第２空気出口１１８に送風され、第２空気出口１１８を通じて吐き出されることができる。除湿機の外部から第２空気入口１１４内に吸入された空気は蒸発器８、凝縮器４及び第１ファン３０をバイパスしてから第２ファン２４０内に吸入され、第２ファン２４０によって第１空気出口１１６に吐き出されることができる。第１空気出口１１６が前方空気出口であり、第２空気出口が後方空気出口である場合、除湿機は第１ファン３０によって送風された除湿空気を第２空気出口１１８に吐き出し、第２ファン２４０によって送風された非除湿空気を第１空気出口１１６の前方に吐き出すことができる。第１空気出口１１６が前方空気出口であり、第２空気出口が後方空気出口であり、流路制御器２６０が第２空気出口吐出モードにあり、圧縮機２、第１ファン３０及び第２ファン２４０の全てが駆動される場合、除湿機は後方除湿及び前方ファンモードにあり得る。除湿機の流量を２段階に区分する場合、除湿機は後方低流量除湿及び前方低流量ファンモードにあり、除湿機の流量を３段階に区分し、第２ファン２４０が第１ファン３０の流量より高い流量を持つ場合、除湿機は後方低流量除湿及び前方中流量ファンモードにあり得る。除湿機の流量を３段階に区分し、第２ファン２４０が第１ファン３０の流量より低い流量を持つ場合、除湿機は後方中流量除湿及び前方低流量ファンモードにあり得る。
【０１４８】
一方、圧縮機２及び第１ファン３０が停止し、第２ファン２４０が駆動され、流路制御器２６０が第２空気出口吐出モードにある場合、図１７に示すように、除湿機の外部空気は第１空気入口１１２ではなくて第２空気入口１１４を通じて除湿機内に吸入できる。除湿機４の外部から第２空気入口１１４内に吸入された空気は蒸発器８、凝縮器４及び第１ファン３０をバイパスしてから第２ファン２４０内に吸入され、第２ファン２４０によって第１空気出口１１６に吐き出されることができる。第１空気出口１１６が前方空気出口であり、第２空気出口１１８が後方空気出口である場合、除湿機は第２ファン２４０によって送風された非除湿空気を第１空気出口１１６の前方に吐き出すことができる。第１空気出口１１６が前方空気出口であり、第２空気出口１１８が後方空気出口であり、流路制御器２６０が第２空気出口吐出モードであり、圧縮機２及び第１ファン３０が停止し、第２ファン２４０が駆動される場合、除湿機は前方ファンモードにあり得る。除湿機の流量を２段階に区分する場合、除湿機は前方低流量ファンモードにあり、除湿機の流量を３段階に区分し、第２ファン２４０が第１ファン３０の流量より高い流量を持つ場合、除湿機は前方中流量ファンモードにあり得る。除湿機の流量を３段階に区分し、第２ファン２４０が第１ファン３０の流量より低い流量を持つ場合、除湿機は前方低流量ファンモードにあり得る。
【０１４９】
一方、圧縮機２が停止し、第１ファン３０及び第２ファン２４０が駆動され、流路制御器２６０が第２空気出口吐出モードにある場合、図１８に示すように、除湿機の外部空気は第１空気入口１１２及び第２空気入口１１４に分配されて除湿機内に吸入できる。除湿機の外部から第１空気入口１１２内に吸入された空気は熱交換なしに蒸発器８及び凝縮器４を順次通過してから第１ファン３０内に吸入できる。凝縮器４を通過してから第１ファン３０内に吸入された空気は第１ファン３０の送風力によって第２空気出口１１８に送風され、第２空気出口１１８を通じて吐き出されることができる。除湿機の外部から第２空気入口１１４内に吸入された空気は蒸発器８、凝縮器４及び第１ファン３０をバイパスしてから第２ファン２４０内に吸入され、第２ファン２４０によって第１空気出口１１６に吐き出されることができる。第１空気出口１１６が前方空気出口であり、第２空気出口１１８が後方空気出口である場合、除湿機は第１ファン３０によって送風された非除湿空気を第１空気出口１１６の前方に吐き出し、第２ファン２４０によって送風された非除湿空気を第１空気出口１１６の前方に吐き出すことができる。第１空気出口１１６が前方空気出口であり、第２空気出口１１８が後方空気出口である場合、流路制御器２６０は第２空気出口吐出モードにあり、圧縮機２は停止し、第１ファン３０及び第２ファン２４０は一緒に駆動され、除湿機は後方ファン及び前方ファンモードにあり得る。この際、除湿機は一つの機器が非除湿空気を多方向に送風するマルチファンとして機能することができる。除湿機の流量を２段階に区分する場合、除湿機は後方低流量ファン及び前方低流量ファンモードにあり得る。除湿機の流量を３段階に区分し、第２ファン２４０が第１ファン３０の流量より高い流量を持つ場合、除湿機は後方低流量ファン及び前方中流量ファンモードにあり得る。除湿機の流量を３段階に区分し、第２ファン２４０が第１ファン３０の流量より低い流量を持つ場合、除湿機は後方中流量ファン及び前方低流量ファンモードにあり得る。
【０１５０】
一方、圧縮機２及び第１ファン３０が駆動され、第２ファン２４０が停止し、流路制御器２６０が第２空気出口吐出モードにある場合、図１９に示すように、除湿機の外部空気は第２空気入口１１４ではなくて第１空気入口１１２を通じて除湿機内に吸入できる。除湿機が外部から第１空気入口１１２内に吸入された空気は蒸発器８で除湿され、凝縮器４で加熱されてから第１ファン３０内に吸入できる。第１ファン３０内に吸入された空気は第１ファン３０の送風力によって第２空気出口１１８に送風され、第２空気出口１１８を通じて吐き出されることができる。第１空気出口１１６が前方空気出口であり、第２空気出口１１８が後方空気出口である場合、除湿機は第１ファン３０によって送風された除湿空気を第２空気出口１１８に吐き出すことができる。第１空気出口１１６が前方空気出口であり、第２空気出口１１８が後方空気出口である場合、流路制御器２６０は第２空気出口吐出モードにあり、圧縮機２及び第１ファン３０は駆動され、第２ファン２４０は停止し、除湿機は後方低流量除湿モードにあり得る。
【０１５１】
一方、圧縮機２及び第２ファン２４０が停止し、第１ファン３０が駆動され、第１ファン３０が駆動され、流路制御器２６０が第２空気出口吐出モードにある場合、図２０に示すように、除湿機の外部空気は第２空気入口１１４ではなくて第１空気入口１１２を通じて除湿機内に吸入できる。除湿機の外部から第１空気入口１１２内に吸入された空気は熱交換なしに蒸発器８及び凝縮器４を順次通過してから第１ファン３０内に吸入できる。凝縮器４を通過してから第１ファン３０内に吸入された空気は第１ファン３０の送風力によって第２空気出口１１８に送風され、第２空気出口１１８を通じて吐き出されることができる。第１空気出口１１６が前方空気出口であり、第２空気出口１１８が後方空気出口である場合、除湿機は第１ファン３０によって送風された非除湿空気を第２空気出口１１８に吐き出すことができる。第１空気出口１１６が前方空気出口であり、第２空気出口１１８が後方空気出口である場合、流路制御器２６０は第２空気出口吐出モードにあり、圧縮機２０及び第２ファン２４０は停止し、第１ファン３０は駆動され、除湿機は後方低流量ファンモードにあり得る。第１空気出口１１６が前方空気出口であり、第２空気出口１１８が後方空気出口である場合、流路制御器２６０は第２空気出口吐出モードにあり、圧縮機２及び第２ファン２４０は停止し、第１ファン３０は駆動され、除湿機は後方低流量ファンモードにあり得る。
【０１５２】
図２１は圧縮機及びファンが駆動され、流路制御器が第１空気出口吐出モードにあるときの空気の流れを示す、本発明の第４実施例による除湿機の概略図、図２２は圧縮機が停止し、ファンが駆動され、流路制御器が第１空気出口吐出モードにあるときの空気の流れを示す、本発明の第４実施例による除湿機の概略図、図２３は圧縮機及びファンが駆動され、流路制御器が第２空気出口吐出モードにあるときの空気の流れを示す、本発明の第４実施例による除湿機の概略図、図２４は圧縮機が停止し、ファンが駆動され、流路制御器が第２空気出口吐出モードにあるときの空気の流れを示す、本発明の第４実施例による除湿機の概略図である。
【０１５３】
この実施例は、ファン３３０が第１インペラー３３１、第２インペラー３３２及び共用モーター３３３を含むことを提案する。共用モーター３３３は第１インペラー３３１及び第２インペラー３３２を一緒に回転させることができる。
【０１５４】
共用モーター３３３は一つの回転軸が突出し、第１インペラー３３１及び第２インペラー３３２は互いに離隔して単一回転軸に装着できる。
【０１５５】
共用モーター３３３は第１回転軸と第１回転軸が互いに反対方向に突出する両軸モーターであることができ、第１インペラー３３１は第１回転軸に装着され、第２インペラー３３２は第２回転軸に装着され、第１インペラー３３１及び第２インペラー３３２は一緒に共用モーター３３３によって回転できる。
【０１５６】
ファン３３０は同種の第１インペラー３３１及び第２インペラー３３２を持つことができる。
【０１５７】
ファン３３０は異種の第１インペラー３３１及び第２インペラー３３２を持つことができる。第１インペラー３３１はターボファン及びシロッコファンなどの遠心ファン、または混合流動ファンであり、第２インペラー３３２はプロペラファン、管状軸流ファン及びベーン軸流ファンなどの軸流ファンのインペラーであり得る。
【０１５８】
ファン３３０は第１インペラー３３１と第２インペラー３３２との間に位置する隔壁Ｗを含むことができる。隔壁Ｗは第１インペラー３３１によって流動する空気と第２インペラー３３２によって流動する空気を互いに対して遮断することができる。ファン３３０は第１インペラー３３１及び第２インペラー３３２のいずれか一方を取り囲むファンハウジング３３４をさらに含むことができる。ファン３３０はファンハウジング３３４内に吸入される空気を案内するオリフィス３３５をさらに含むことができる。除湿機は、隔壁Ｗがファンハウジング３３４とは別に構成できる。除湿機は、ファンハウジング３３４の一部が第１インペラー３３１によって流動する空気を第２インペラー３３２によって流動する空気から遮断するための隔壁Ｗとして機能することができる。
【０１５９】
第１インペラー３３１が遠心ファンまたは混合流動ファンのインペラーであり、第２インペラー３３２が軸流ファンのインペラーである場合、ファンハウジング３３４は第１インペラー３３１を取り囲むことができ、オリフィス３３５は第１インペラー３３１の回転時に流動する空気をファンハウジング３３４の内部に案内することができる。
【０１６０】
第１インペラー３３１が軸流ファンのインペラーであり、第２インペラー３３２が遠心ファンまたは混合流動ファンのインペラーである場合、ファンハウジング３３４は第２インペラー３３２を取り囲むことができ、オリフィス３３５は第２インペラーの回転時に流動する空気をファンハウジング３３４の内部に案内することができる。
【０１６１】
この実施例の除湿機の構成及び作用は、ファン３３０を除き、本発明の第１実施例、第２実施例及び第３実施例と同一ないし類似するため、同一参照符号を使用し、同一ないし類似の構成及び作用の説明は省略する。
【０１６２】
本発明の第１または第２実施例と同様に、この実施例は一つの空気出口１６０または１０６を形成し、第１通路Ｐ１及び第２通路Ｐ２を含むことを提案する。
【０１６３】
本発明の第３実施例と同様に、この実施例は第１空気入口１１２、第２空気入口１１４、第１空気出口１１６、第２空気出口１１８及び連通口２４６を形成し、第１通路Ｐ１１、第２通路Ｐ１２、第３通路Ｐ１７及び流路制御器２６０を含むことを提案する。
【０１６４】
以下、除湿機が第１空気入口１１２、第２空気入口１１４、第２空気出口１１６、第２空気出口１１８及び連通口２４６を持ち、第１通路Ｐ１１、第２通路Ｐ１２、第３通路Ｐ１７及び流路制御器２６０を含み、第１インペラー３３１及び第２インペラー３３２が共用モーター３３３によって回転する例を説明する。
【０１６５】
この際、第１インペラー３３１は本発明の第３実施例による第１ファン３０のインペラー３１に対応する要素であり得る。第２インペラー３３２は本発明の第３実施例による第２ファン２４０のインペラー２４１に対応する要素であり得る。共用モーター３３３の構成は、共用モーター３３３が第１インペラー３３１及び第２インペラー３３２を一緒に回転させることを除き、本発明の第３実施例による第１ファン３０のモーター３２に対応する構成であり得る。ファンハウジング３３４は本発明の第３実施例による第１ファン３０のファンハウジング３３に対応する要素であり得る。オリフィス３３５は本発明の第３実施例による第１ファン３０のオリフィス３４に対応する要素であり得る。
【０１６６】
第１通路Ｐ１１は、空気が第１空気入口１１２内に吸入され、蒸発器８、凝縮器４、第１インペラー３３１及び第２インペラー３３２を順次通過してから第１空気出口１１６に吐き出されるように形成できる。
【０１６７】
第２通路Ｐ１２は、空気が第２空気出口１１４内に吸入され、第２インペラー３３２を通過してから第１空気出口１１６に吐き出されるように形成できる。第２通路Ｐ１２は空気流動方向において第１インペラー３３１と第２インペラー３３２の間の第１通路Ｐ１１と結合できる。
【０１６８】
第３通路Ｐ１７は、空気が第１空気入口１１２内に吸入され、蒸発器８、凝縮器４及び第１インペラー３３１を通過してから第２空気出口１１８に吐き出されるように形成できる。第３通路Ｐ１７は空気流動方向において第１インペラー３３１と第２インペラー３３２との間の第１通路Ｐ１１から分離できる。
【０１６９】
第１インペラー３３１は第１通路Ｐ１１の空気流動方向において凝縮器４とインペラー３３２との間に位置することができる。第１インペラー３３１は第３通路の空気流動方向において凝縮器４と第２空気出口１１８との間に位置することができる。
【０１７０】
第２インペラー３３２は第１通路Ｐ１１の空気流動方向において第１インペラー３３１と第１空気出口１１６との間に位置することができる。第２インペラー３３２は第２通路Ｐ１２の空気流動方向において第２空気入口１１４と第１空気出口１１６との間に位置することができる。
【０１７１】
連通口２４６は第１空気入口１１２内に吸入される空気流動方向において第１インペラー３３１と第２インペラー３３２との間に位置することができる。
【０１７２】
この実施例の作用を説明する。
【０１７３】
圧縮機２及びファン３３０が駆動され、流路制御器２６０が第１空気出口吐出モードにある場合、図２１に示すように、除湿機の外部空気は第１空気入口１１２と第２空気入口１１４に分配されて除湿機内に吸入できる。除湿機の外部から第１空気入口１１２内に吸入された空気は蒸発器８を通過しながら除湿され、凝縮器４を通過するとき、凝縮器４を通過する冷媒によって温度が上昇することができる。凝縮器４を通過した空気は第１インペラー３３１内に吸入できる。凝縮器４を通過してから第１インペラー３３１内に吸入された空気は連通口２４６を通過し、第１インペラー３３２に流動することができる。除湿機の外部から第２空気入口１１４内に吸入された空気は蒸発器８、凝縮器４及び第１インペラー３３１をバイパスしてから第２インペラー３３２内に吸入され、第１インペラー３３１から第２インペラー３３２に流動する空気と合わせられることができる。第１空気出口１１６が前方空気出口である場合、除湿機は両インペラー３３１、３３３によって送風された高流量の除湿空気を第１空気出口１１６の前方に吐き出す高流量除湿機として機能することができる。第１空気出口１１６が前方空気出口であり、流路制御器２６０が第１空気出口吐出モードにあり、圧縮機２及びファン３３０が駆動される場合、除湿機は前方高流量除湿モードにあり得る。
【０１７４】
一方、圧縮機２が停止し、ファン３３０が駆動され、流路制御器２６０が第１空気出口吐出モードにある場合、図２２に示すように、除湿機の外部空気は第１空気入口１１２及び第２空気入口１１４に分配されて除湿機内に吸入できる。除湿機の外部から第１空気入口１１２内に吸入された空気は熱交換なしに蒸発器８及び凝縮器４を通過してから第１インペラー３３１内に吸入できる。凝縮器４を通過してから第１インペラー３３１内に吸入された空気は連通口２４６を通過して第２インペラー３３２に流動することができる。除湿機の外部から第２空気入口１１４内に吸入された空気は蒸発器８、凝縮器４及び第１インペラー３３１をバイパスしてから第２インペラー３３２内に吸入され、第１インペラー３３１から第２インペラー３３２に流動する空気と合わせられることができる。第１空気出口１１６が前方空気出口である場合、除湿機は両インペラー３３１、３３２によって送風された高流量の非除湿空気を第１空気出口１１６の前方に吐き出す高流量ファンとして機能することができる。第１空気出口１１６が前方空気出口であり、流路制御器２６０が第１空気出口吐出モードにあり、圧縮機２及びファン３３０が駆動される場合、除湿機は前方高流量ファンモードにあり得る。
【０１７５】
一方、圧縮機２及びファン３３０が駆動され、流路制御器２６０が第２空気出口吐出モードにある場合、図２３に示すように、除湿機の外部空気は第１空気入口１１２及び第２空気入口１１４に分配されて除湿機内に吸入できる。除湿機の外部から第１空気入口１１２内に吸入された空気は蒸発器８を通過しながら除湿された後、凝縮器４を通過するとき、凝縮器４を通過する冷媒によって温度が上昇することができる。凝縮器４を通過した空気は第１インペラー３３１内に吸入できる。凝縮器４を通過してから第１インペラー３３１内に吸入された空気は第２空気出口１１８に送風され、第２空気出口１１８を通じて除湿機の外部に吐き出されることができる。除湿機の外部から第２空気入口１１４内に吸入された空気は蒸発器８、凝縮器４及び第１インペラー３３１をバイパスしてから第２インペラー３３２内に吸入され、第２インペラー３３２によって第１空気出口１１６に送風され、第１空気出口１１６を通じて除湿機の外部に吐き出されることができる。第１空気出口１１６が前方空気出口であり、第２空気出口１１８が後方空気出口である場合、除湿機は除湿された空気を第２空気出口１１８に吐き出し、非除湿空気を第１空気出口１１６の前方に吐き出すことができる。第１空気出口１１６が前方空気出口であり、第２空気出口１１８が後方空気出口であり、流路制御器２６０が第２空気出口吐出モードにあり、圧縮機２及びファン３３０が駆動される場合、除湿機は後方除湿及び前方ファンモードにあり得る。除湿機の流量を２段階に区分する場合、除湿機は後方低流量除湿及び前方低流量ファンモードにあり得る。除湿機の流量を３段階に区分し、第１ファン３０が第２ファン２４０の流量より高い流量を持つ場合、除湿機は後方低流量除湿及び前方中流量ファンモードにあり得る。
【０１７６】
一方、圧縮機２が停止し、ファン３３０が駆動され、流路制御器２６０が第２空気出口吐出モードにある場合、図２４に示すように、除湿機の外部空気は第１空気入口１１２及び第２空気入口１１４に分配されて除湿機内に吸入できる。除湿機の外部から第１空気入口１１２内に吸入された空気は熱交換なしに蒸発器８及び凝縮器４を通過してから第１インペラー３３１内に吸入できる。凝縮器４を通過してから第１インペラー３３１内に吸入された空気は第２空気出口１１８に送風され、第２空気出口１１８を通じて除湿機の外部に吐き出されることができる。除湿機の外部から第２空気入口１１４内に吸入された空気は蒸発器８、凝縮器４及び第１インペラー３３１をバイパスしてから第２インペラー３３２内に吸入され、第１空気出口１１６を通じて除湿機の外部に吐き出されることができる。第１空気出口１１６が前方空気出口であり、第２空気出口１１８が後方空気出口である場合、除湿機は非除湿空気を第２空気出口１１８に吐き出し、非除湿空気を第１空気出口１１６の前方に吐き出すことができる。第１空気出口１１６が前方空気出口であり、第２空気出口１１８が後方空気出口であり、流路制御器２６０が第２空気出口吐出モードにあり、圧縮機２及びファン３３０が駆動される場合、除湿機は後方ファン及び前方ファンモードにあり得る。除湿機の流量を２段階に区分する場合、除湿機は後方低流量ファン及び前方低流量ファンモードにあり得る。除湿機の流量を３段階に区分し、第１空気出口１１６に吐き出される空気の流量が第２空気出口１１８に吐き出される空気の流量より高い場合、除湿機は後方低流量ファン及び前方中流量ファンモードにあり得る。
【０１７７】
図２５は圧縮機及びファンが駆動されるときの空気の流れを示す、本発明の第５実施例による除湿機の概略図、図２６は圧縮機が停止し、ファンが駆動されるときの空気の流れを示す、本発明の第５実施例による除湿機の概略図である。
【０１７８】
本発明の第４実施例と同様に、この実施例は単一共用モーター３３３によって回転する二つのインペラー３３１、３３２を持つファン３３０を装着し、除湿通路Ｐ２１及びファン通路Ｐ２２を含むことを提案する。本発明の第５実施例による除湿機の構成及び作用は、除湿通路Ｐ２１及びファン通路Ｐ２２を除き、本発明の第４実施例と同一ないし類似するため、同一参照符号を使用し、同一ないし類似の構成及び作用の説明は省略する。
【０１７９】
ファン３３０の第１インペラー３３１は除湿通路Ｐ２１に位置することができる。第１ファン３３０の第１インペラー３３１は除湿通路Ｐ２１の空気流動方向において凝縮器４と第２空気出口１１８との間に位置することができる。
【０１８０】
ファン３３０の第２インペラー３３２はファン通路Ｐ２２に位置することができる。ファン３３０の第２インペラー３３２はファン通路Ｐ２２の空気流動方向において第２空気入口１１４と第１空気出口１１６との間に位置することができる。
【０１８１】
除湿通路Ｐ２１は、第１空気入口１１２内に吸入された空気が蒸発器８、凝縮器４及び第１インペラー３３１を通過してから第２空気出口１１８に吐き出されるように形成できる。除湿通路Ｐ２１は第１空気入口１１２内に吸入される空気流動方向において第１空気入口１１２と第２空気出口１１８との間の除湿吸入流路Ｐ２３、及び第１インペラー３３１と第２空気出口１１８との間の除湿吐出流路Ｐ２４を含むことができる。除湿通路Ｐ２１は第１インペラー３３１によって流動する空気を案内するためのファン内部流路をさらに含むことができる。
【０１８２】
ファン流路Ｐ２２は、第２空気入口１１４内に吸入された空気が蒸発器８及び凝縮器４ではなくて第２インペラー３３２を通過してから第１空気出口１１６に吐き出されるように形成できる。ファン通路Ｐ２２は第２空気入口１１４内に吸入される空気の流動方向において第２空気入口１１４と第２インペラー３３２との間のファン吸入流路Ｐ２５、及び第２インペラー３３２と第１空気出口１１６との間のファン吐出流路Ｐ２６を含むことができる。
【０１８３】
除湿通路Ｐ２１とファン通路Ｐ２２は除湿通路Ｐ２１とファン通路Ｐ２２との間に位置する隔壁Ｗによって区画できる。隔壁Ｗは第１インペラー３３１によって流動する空気と第２インペラー３３２によって流動する空気を互いに対して遮断することができる。隔壁Ｗは一面が除湿通路Ｐ２１を通過する空気を案内し、他面がファン通路Ｐ２２を通過するエアガイドとして機能することができる。ファン３０は第１インペラー３３１及び第２インペラー３３２のいずれか一方を取り囲むファンハウジング３３４をさらに含むことができる。ファン３３０はファンハウジング３３４内に吸入される空気を案内するオリフィス３３５をさらに含むことができる。ファン３３０はファンハウジング３３４内に吸入される空気を案内するオリフィス３３５をさらに含むことができる。ファンハウジング３３４は一部が第１インペラー３３１によって流動する空気と第２インペラー３３２によって流動する空気を互いに対して遮断する隔壁Ｗとして機能することができる。
【０１８４】
除湿吸入流路Ｐ２３は蒸発器８及び凝縮器４が第１インペラー３３１によって流動する空気の流動方向に配置されるようにすることができる。除湿吸入流路Ｐ２３は空気流動方向において第１空気入口１１２とオリフィス３３５との間に形成できる。除湿吸入流路Ｐ２３はドレインパン２６と流路ガイド２８との間に形成できる。空気はドレインパン２６と流路ガイド２８との間を通過して第１インペラー３３１内に吸入できる。
【０１８５】
ファン内部流路はオリフィス３３５とファンハウジング３３４との間に形成できる。
【０１８６】
除湿吐出流路Ｐ２４はファンハウジング３３４の出口部に形成できる。除湿吐出流路Ｐ２４は第２空気出口１１８と連通することができる。
【０１８７】
ファン吸入流路Ｐ２５は空気流動方向において第２空気入口１１４と第２インペラー３３２との間に形成できる。ファン吸入流路Ｐ２５は前板２０とファンハウジング３３４からなることができる。ファン吸入流路Ｐ２５は前板２０の背面とファンハウジングの前面によって構成できる。
【０１８８】
この実施例の作用を説明する。
【０１８９】
圧縮機２及びファン３３０が駆動される場合、図２５に示すように、除湿機の外部空気は第１空気入口１１２及び第２空気入口１１４に分配されて除湿機内に吸入できる。除湿機の外部から第１空気入口１１２内に吸入された空気は蒸発器８を通過しながら除湿された後、凝縮器を通過するとき、凝縮器４を通過する冷媒によって温度が上昇することができる。凝縮器４を通過した空気は第１インペラー３３１内に吸入できる。凝縮器４を通過してから第１インペラー３３１内に吸入された空気は第２空気出口１１８に送風され、第２空気出口１１８を通じて除湿機の外部に吐き出されることができる。除湿機の外部から第２空気入口１１４内に吸入された空気は蒸発器８、凝縮器４及び第１インペラー３３１をバイパスして第２インペラー３３２内に吸入され、第２インペラー３３２によって第１空気出口１１６に送風され、第１空気出口１１６を通じて除湿機の外部に吐き出されることができる。第１空気出口１１６が前方空気出口であり、第２空気出口１１８が後方空気出口である場合、除湿機は除湿空気を第２空気出口１１８に吐き出し、非除湿空気を第１空気出口１１６の前方に吐き出すことができる。第１空気出口１１６が前方空気出口であり、第２空気出口１１８が後方空気出口であり、圧縮機８及びファン３３０が駆動される場合、除湿機は後方除湿及び前方ファンモードにあり得る。除湿機の流量を２段階に区分する場合、除湿機は後方低流量除湿及び前方低流量ファンモードにあり得る。除湿機の流量を３段階に区分し、第１空気出口１１６に吐き出される流量が第２空気出口１１８に吐き出される流量より高い場合、除湿機は後方低流量除湿及び前方中流量ファンモードにあり得る。
【０１９０】
一方、圧縮機２が停止し、ファン３３０が駆動される場合、図２６に示すように、除湿機の外部空気は第１空気入口１１２及び第２空気入口１１４に分配されて除湿機内に吸入できる。除湿機の外部から第１空気入口１１２内に吸入された空気は熱交換なしに蒸発器８及び凝縮器４を通過してから第１インペラー３３１内に吸入され、第２空気出口１１８に送風され、第２空気出口１１８を通じて除湿機の外部に吐き出されることができる。除湿機の外部から第２空気入口１１４内に吸入された空気は蒸発器８、凝縮器４及び第１インペラー３３１をバイパスして第２インペラー３３２内に吸入され、第２インペラー３３２によって第１空気出口１１６に送風され、第１空気出口１１６を通じて除湿機の外部に吐き出されることができる。第１空気出口１１６が前方空気出口であり、第２空気出口１１８が後方空気出口である場合、除湿機は非除湿空気を第２空気出口１１８を通じて吐き出し、非除湿空気を第１空気出口１１６の前方に吐き出すことができる。第１空気出口１１６が前方空気出口であり、第２空気出口１１８が後方空気出口であり、圧縮機２及びファン３３０が駆動される場合、除湿機は後方ファン及び前方ファンモードにあり得る。除湿機の流量を２段階に区分する場合、除湿機は後方低流量ファン及び前方低流量ファンモードにあり得る。除湿機の流量を３段階に区分し、第１空気出口１１６に吐き出される空気の流量が第２空気出口１１８に吐き出される空気の流量より高い場合、除湿機は後方低流量ファン及び前方中流量ファンモードにあり得る。
【０１９１】
図２７は圧縮機、第１ファン及び第２ファンのいずれも駆動されるときの空気の流れを示す、本発明の第６実施例による除湿機の概略図、図２８は圧縮機及び第１ファンが停止し、第２ファンが駆動されるときの空気の流れを示す、本発明の第６実施例による除湿機の概略図、図２９は圧縮機が停止し、第１ファン及び第２ファンが駆動されるときの空気の流れを示す、本発明の第６実施例による除湿機の概略図、図３０は圧縮機及び第１ファンが駆動され、第２ファンが停止するときの空気の流れを示す、本発明の第６実施例による除湿機の概略図、図３１は圧縮機及び第２ファンが停止し、第１ファンが駆動されるときの空気の流れを示す、本発明の第６実施例による除湿機の概略図である。
【０１９２】
この実施例は、第５実施例と同様に、除湿通路Ｐ２１及びファン通路Ｐ２２を含み、本発明の第５実施例のファン３３０の代わりに本発明の第２実施例の第１ファン３０及び第ファン１４０または本発明の第３実施例の第１ファン３０及び第２ファン２４０を使用することを提案する。本発明の第６実施例による除湿通路Ｐ２１及びファン通路Ｐ２２などの除湿機の構成及び作用は、第１ファン３０及び第２ファン２４０を除き、本発明の第５実施例と同一ないし類似するため、同一参照符号を使用し、同一ないし類似の構成及び作用の説明は省略する。
【０１９３】
第１ファン３０は除湿通路Ｐ２１の一部をなし、空気流動方向において凝縮器４と第２空気出口１１８との間に位置することができる。
【０１９４】
第２ファン２４０はファン通路Ｐ２２に位置し、空気流動方向において第２空気入口１１４と第１空気出口１１６との間に位置することができる。
【０１９５】
除湿通路Ｐ２１及びファン通路Ｐ２２は除湿通路Ｐ２１とファン通路Ｐ２２との間に位置する隔壁Ｗによって区画できる。隔壁Ｗは第１ファン３０によって流動する空気と第２ファン２４０によって流動する空気を互いに対して遮断することができる。隔壁Ｗは一面が除湿通路Ｐ２１を通過する空気を案内し、他面はファン通路Ｐ２２を通過する空気を案内するエアガイドとして機能することができる。第１ファン３０は第１インペラー３１、第１インペラー３１を回転させるモーター３２及び第１インペラー３１を取り囲むファンハウジング３３を含むことができる。第１ファン３０はファンハウジング３３内に吸入される空気を案内するオリフィス３４をさらに含むことができる。除湿機はファンハウジング３３とは別に構成された隔壁Ｗを持つことができ、ファンハウジング３３の一部は第１ファン３０によって流動する空気と第２ファン２４０によって流動する空気を互いに対して遮断する隔壁Ｗとして機能することができる。
【０１９６】
前述した構成を持つ本発明の作用を説明する。
【０１９７】
圧縮機２、第１ファン３０及び第２ファン２４０が一緒に駆動される場合、図２７に示すように、除湿機の外部空気は第１空気入口１１２及び第２空気入口１１４に分配されて除湿機内に吸入できる。除湿機の外部から第１空気入口１１２内に吸入された空気は蒸発器８で除湿され、凝縮器４で加熱された後、第１ファン３０を通過して第２空気出口１１８に吐き出されることができる。除湿機の外部から第２空気入口１１４内に吸入された空気は蒸発器８、凝縮器４及び第１ファン３０を通過しなくてファイ２ファン２４０によって第１空気出口に吐き出されることができる。第１空気出口１１６が前方空気出口であり、第２空気出口１１８が後方空気出口である場合、除湿機は第１ファン３０によって送風される除湿空気を第２空気出口１１８に吐き出し、第２ファン２４０によって送風される非除湿空気を第１空気出口１１６の前方に吐き出すことができ、後方除湿及び前方ファンモードにあり得る。除湿機の流量を２段階に区分する場合、除湿機は後方低流量除湿及び前方低流量ファンモードにあり得る。除湿機の流量を３段階に区分し、第２ファン２４０の流量が第１ファン３０の流量より高い場合、除湿機は後方低流量除湿及び前方中流量ファンモードにあり得る。
【０１９８】
一方、圧縮機２及び第１ファン３０が停止し、第２ファン２４０が駆動される場合、図２８に示すように、除湿機の外部空気は第１空気入口１１２ではなくて第２空気入口１１４を通じて除湿機内に吸入できる。除湿機の外部から第２空気入口１１４内に吸入された空気は蒸発器８、凝縮器４及び第１ファン３０を通過しなくて第２ファン２４０によって第１空気出口１１６に吐き出されることができる。第１空気出口１１６が前方空気出口であり、第２空気出口１１８が後方空気出口１１８である場合、除湿機は第２ファン２４０によって送風される空気を第１空気出口１１６の前方に吐き出すことができ、前方ファンモードにあり得る。除湿機の流量を２段階に区分する場合、除湿機は前方低流量ファンモードにあり得る。除湿機の流量を３段階に区分し、第２ファン２４０の流量が第１ファン３０の流量より高い場合、除湿機は前方中流量ファンモードにあり得る。
【０１９９】
一方、圧縮機２が停止し、第１ファン３０及び第２ファン２４０が一緒に駆動される場合、図２９に示すように、除湿機の外部空気は第１空気入口１１２及び第２空気入口１１４に分散されて除湿機内に吸入できる。除湿機の外部から第１空気入口１１２内に吸入された空気は熱交換なしに蒸発器８及び凝縮器４を順次通過した後、第１ファン３０によって第２空気出口１１８に吐き出されることができる。除湿機の外部から第２空気入口１１４内に吸入された空気は蒸発器８、凝縮器４及び第１ファン３０を通過しなくて第２ファン２４０によって第１空気出口１１６に吐き出されることができる。第１空気出口１１６が前方空気出口であり、第２空気出口１１８が後方空気出口である場合、除湿機は第１ファン３０によって送風される非除湿空気を第２空気出口１１８に吐き出し、第２ファン２４０によって送風される非除湿空気を第１空気出口１１６の前方に吐き出すことができ、後方ファン及び前方ファンモードにあり得る。この際、除湿機は一つの機器が非除湿空気を多方向に送風するマルチファンとして機能することができる。除湿機の流量を２段階に区分する場合、除湿機は後方低流量ファン及び前方低流量ファンモードにあり得る。除湿機の流量を３段階に区分し、第２ファン２４０の流量が第１ファン３０の流量より高い場合、除湿機は後方低流量ファン及び前方中流量ファンモードにあり得る。
【０２００】
一方、圧縮機２及び第１ファン３０が駆動され、第２ファン２４０が停止する場合、図３０に示すように、除湿機の外部空気は第２空気入口１１４ではなくて第１空気入口１１２を通じて除湿機内に吸入できる。除湿機の外部から第１空気入口１１２内に吸入された空気は蒸発器８で除湿され、凝縮器４で加熱された後、第１ファン３０を通過して第２空気出口１１８に吐き出されることができる。第１空気出口１１６が前方空気出口であり、第２空気出口１１８が後方空気出口である場合、除湿機は第１ファン３０によって送風される除湿空気を第２空気出口１１８に吐き出すことができ、後方低流量除湿モードにあり得る。
【０２０１】
一方、圧縮機２及び第２ファン２４０が停止し、第１ファン３０が駆動される場合、図３１に示すように、除湿機の外部空気は第２空気入口１１４ではなくて第１空気入口１１２を通じて除湿機内に吸入できる。除湿機の外部から第１空気入口１１２内に吸入された空気は熱交換なしに蒸発器８及び凝縮器４を順次通過した後、第１ファン３０によって第２空気出口１１８に吐き出されることができる。第１空気出口１１６が前方空気出口であり、第２空気出口１１８が後方空気出口である場合、除湿機は第１ファン３０によって送風される非除湿空気を第２空気出口１１８に吐き出すことができ、後方低流量ファンモードにあり得る。
【０２０２】
この明細書で言及する“一つの実施例”、“一実施例”、“例示的実施例”などはその実施例に関連して説明した特定の特性、構造または特徴が本発明の少なくとも一つの実施例に含まれることを意味する。この明細書のいろいろの箇所でのこのような語句の出現は必ずしもすべて同一実施例を言及するものではない。また、特定の特性、構造または特徴を任意の実施例に関連して説明するとき、他の実施例に関連したこのような特性、構造または特徴を達成することは当業者の範囲内にあると考えられる。
【０２０３】
以上幾つかの実施例を多くの例示的実施例を参照して説明したが、この開示内容の原理の精神及び範囲内で多くの他の変形例及び実施例が当業者によって考案可能であることを理解すべきである。より具体的に、この開示内容、図面及び添付請求範囲の範囲内で主題の組合せの構成部品及び／または配置において多様な変動及び変形が可能である。この構成部品及び／または配置における変動及び変形に加え、別の用途も当業者に明らかであろう。
【図１】
0006272489.tif 000002
【図２】
0006272489.tif 000003
【図３】
0006272489.tif 000004
【図４】
0006272489.tif 000005
【図５】
0006272489.tif 000006
【図６】
0006272489.tif 000007
【図７】
0006272489.tif 000008
【図８】
0006272489.tif 000009
【図９】
0006272489.tif 000010
【図１０】
0006272489.tif 000011
【図１１】
0006272489.tif 000012
【図１２】
0006272489.tif 000013
【図１３】
0006272489.tif 000014
【図１４】
0006272489.tif 000015
【図１５】
0006272489.tif 000016
【図１６】
0006272489.tif 000017
【図１７】
0006272489.tif 000018
【図１８】
0006272489.tif 000019
【図１９】
0006272489.tif 000020
【図２０】
0006272489.tif 000021
【図２１】
0006272489.tif 000022
【図２２】
0006272489.tif 000023
【図２３】
0006272489.tif 000024
【図２４】
0006272489.tif 000025
【図２５】
0006272489.tif 000026
【図２６】
0006272489.tif 000027
【図２７】
0006272489.tif 000028
【図２８】
0006272489.tif 000029
【図２９】
0006272489.tif 000030
【図３０】
0006272489.tif 000031
【図３１】
0006272489.tif 000032